(57)【要約】【課題】  ビッグバンの以前は超巨大なエネルギーであった。質量はどのように誕生したのか。その質量は高エネルギー加速器の鉄板を通過する、Ｅ＝ｍｃ２のエネルギーは何のエネルギーか。【解決手段】ラブのエネルギーはラブの質量÷ラブの自転軌道に比例する。ラブのエネルギー＝Ｋ×ラブの質量÷ラブの自転軌道とすると、Ｋ＝３．７５×１０−１Ｊｍ／Ｋｇです。ラブのエネルギー＝３．７５×１０−１Ｊｍ／Ｋｇ×ラブの質量÷自転軌道ラブのエネルギー×自転軌道＝３．７５×１０−１Ｊｍ／Ｋｇ×ラブの質量ラブの質量＝ラブのエネルギー×自転軌道×１／Ｋラブの質量＝ラブの自転軌道エネルギー×１／Ｋ１／Ｋ＝１÷（３．７５×１０−１Ｊｍ／Ｋｇ）＝２．６６７Ｋｇ／Ｊｍビッグバンのとき、１Ｊｍの自転軌道エネルギーは２．６６７Ｋｇの質量に変換した。Ｅ＝ｍｃ２のエネルギーは、ラブが１秒間に作った光子のエネルギーを周囲に引き付けているものです。【選択図】図６
2007236187.tif 000002
【特許請求の範囲】
【請求項１】
質量密度＝ラブの質量÷自転軌道とする。
原子の電子のラブの質量は９．１０９５×１０−３１Ｋｇで、自転軌道は４．１７５×１０−１８ｍです。
原子の電子のラブの質量密度は、
９．１０９５×１０−３１Ｋｇ÷（４．１７５×１０−１８ｍ）＝２．１８２×１０−１３Ｋｇ／ｍです。
中性子の電子のラブの質量は９．１０９５×１０−３１Ｋｇで、自転軌道は５．０５×１０−２３ｍです。
中性子の電子のラブの質量密度は、
９．１０９５×１０−３１Ｋｇ÷（５．０５×１０−２３ｍ）＝１．８０４×１０−８Ｋｇ／ｍです。
原子の陽子のラブの質量は１．６７２６５×１０−２７Ｋｇで、自転軌道は４．１８×１０−１８ｍです。
原子の陽子のラブの質量密度は、
１．６７２６５×１０−２７Ｋｇ÷（４．１８×１０−１８ｍ）＝４×１０−１０Ｋｇ／ｍです。
中性子の陽子のラブの質量は１．６７２６５×１０−２７Ｋｇで、自転軌道は９．２３２×１０−２０ｍです。
中性子の陽子のラブの質量密度は、
１．６７２６５×１０−２７Ｋｇ÷（９．２３２×１０−２０ｍ）＝１．８１２×１０−８Ｋｇ／ｍです。
【請求項２】
ラブのエネルギーは質量密度に比例する。
原子の電子ラブの質量密度は、２．１８２×１０−１３Ｋｇ／ｍです。エネルギーは、８．１８７×１０−１４Ｊです。
中性子の電子のラブの質量密度は、１．８０４×１０−８Ｋｇ／ｍです。エネルギーは、６．７９１×１０−９Ｊです。
原子の陽子のラブの質量密度は、４×１０−１０Ｋｇ／ｍです。エネルギーは、１．５０３３×１０−１０Ｊです。
中性子の陽子のラブの質量密度は、１．８１２×１０−８Ｋｇ／ｍです。エネルギーは、６．７９１×１０−９Ｊです。
エネルギー＝Ｋ×質量密度とすると、
原子の電子のラブの場合。
Ｋ＝エネルギー÷質量密度＝８．１８７×１０−１４Ｊ÷（２．１８２×１０−１３Ｋｇ／ｍ）＝３．７５２×１０−１Ｊｍ／Ｋｇ
中性子のラブの場合。
Ｋ＝エネルギー÷質量密度＝６．７９１×１０−９Ｊ÷（１．８０４×１０−８Ｋｇ／ｍ）＝３．７６４×１０−１Ｊｍ／Ｋｇ
原子の陽子のラブの場合。
Ｋ＝エネルギー÷質量密度＝１．５０３３×１０−１０Ｊ÷（４×１０−１０Ｋｇ／ｍ）＝３．７５８×１０−１Ｊｍ／Ｋｇ
中性子の陽子のラブの場合。
Ｋ＝エネルギー÷質量密度＝６．７９１×１０−９Ｊ÷（１．８１２×１０−８Ｋｇ／ｍ）＝３．７４８×１０−１Ｊｍ／Ｋｇ
よって、Ｋ＝３．７５×１０−１Ｊｍ／Ｋｇです。
ラブのエネルギー＝Ｋ×質量密度
ラブのエネルギー＝３．７５×１０−１Ｊｍ／Ｋｇ×質量密度
ラブのエネルギー＝３．７５×１０−１Ｊｍ／Ｋｇ×ラブの質量÷自転軌道
この事によって、ラブのエネルギーは質量密度に比例する事が理解できる。
エネルギーの高い素粒子は、質量密度が高い。
陽子のラブのエネルギーは、電子のラブのエネルギーの１８３６倍ですから、
陽子のラブの質量密度は、電子のラブの質量密度の１８３６倍です。
陽子のラブの質量密度÷電子のラブの質量密度＝４×１０−１０Ｋｇ／ｍ÷（２．１８２×１０−１３Ｋｇ／ｍ）＝１８３３
【請求項３】
ラブのエネルギー＝３．７５×１０−１Ｊｍ／Ｋｇ×ラブの質量÷自転軌道の式はどのような事を現しているのか。
ラブのエネルギー＝３．７５×１０−１Ｊｍ／Ｋｇ×ラブの質量÷自転軌道
Ｅ＝ラブのエネルギー＝３．７５×１０−１Ｊｍ／Ｋｇ×ラブの質量÷自転軌道
Ｅ×自転軌道＝３．７５×１０−１Ｊｍ／Ｋｇ×ラブの質量
ラブのエネルギー×自転する距離＝ラブが１自転する仕事＝ラブの質量×３．７５×１０−１Ｊｍ／Ｋｇ
・３．７５×１０−１Ｊｍ／Ｋｇはどのようなことを意味するのか。
ラブ１Ｋｇは、自転するとき３．７５×１０−１Ｊｍの仕事をする。
ラブ１Ｋｇの自転軌道エネルギーは３．７５×１０−１Ｊｍです。
１Ｋｇの陽子のラブは、自転するとき３．７５×１０−１Ｊｍの仕事をする。
１Ｋｇの陽子のラブの自転軌道エネルギーは３．７５×１０−１Ｊｍです。
１Ｋｇの電子のラブは、自転するとき３．７５×１０−１Ｊｍの仕事をする。
１Ｋｇの電子のラブの自転軌道エネルギーは３．７５×１０−１Ｊｍです。
・陽子のラブの自転軌道エネルギーはいくらか。
陽子のラブの自転軌道エネルギーは、陽子のラブ１個の質量は、１．６７２６５×１０−２７Ｋｇですから、
３．７５×１０−１Ｊｍ／Ｋｇ×１．６７２６５×１０−２７Ｋｇ＝６．２７２４×１０−２８Ｊｍです。
この事によって、陽子のラブのエネルギーは、自転軌道によって異なる事が理解できる。
陽子のラブのエネルギー＝６．２７２４×１０−２８Ｊｍ÷自転軌道
陽子のラブの自転軌道が４．１８×１０−１８ｍのとき、陽子のラブのエネルギーは、
陽子のラブのエネルギー＝６．２７２４×１０−２８Ｊｍ÷自転軌道＝６．２７２４×１０−２８Ｊｍ÷（４．１８×１０−１８ｍ）＝１．５×１０−１０Ｊです。
陽子のラブの自転軌道が１０−２０ｍのとき、陽子のラブのエネルギーは、
陽子のラブのエネルギー＝６．２７２４×１０−２８Ｊｍ÷自転軌道＝６．２７２４×１０−２８Ｊｍ÷１０−２０ｍ＝６．２７２４×１０−８Ｊです。
・電子のラブの自転軌道エネルギーはいくらか。
電子のラブの自転の軌道エネルギーは、
３．７５×１０−１Ｊｍ／Ｋｇ×９．１０９５×１０−３１Ｋｇ＝３．４１６×１０−３１Ｊｍです。
この事によって、電子のラブのエネルギーは、自転軌道によって異なる事が理解できる。
電子のラブのエネルギー＝３．４１６×１０−３１Ｊｍ÷自転軌道
電子のラブの自転軌道が４．１８×１０−１８ｍのとき、電子のラブのエネルギーは、
電子のラブのエネルギー＝３．４１６×１０−３１Ｊｍ÷自転軌道＝３．４１６×１０−３１Ｊｍ÷（４．１８×１０−１８ｍ）＝８．１７２×１０−１４Ｊです。
電子のラブの自転軌道が１０−２０ｍのとき、電子のラブのエネルギーは、
電子のラブのエネルギー＝３．４１６×１０−３１Ｊｍ÷自転軌道＝３．４１６×１０−３１Ｊｍ÷１０−２０ｍ＝３．４１６×１０−１１Ｊです。
・陽子のラブの公転の軌道エネルギーはいくらか。
自転軌道の式から公転軌道の式を導く。
Ｅ＝３．７５×１０−１Ｊｍ／Ｋｇ×陽子のラブの質量÷自転軌道
陽子のラブの自転軌道＝３．１４×公転軌道÷１公転するときの自転数＝３．１４×公転軌道÷（４．３４×１０４）
Ｅ＝３．７５×１０−１Ｊｍ／Ｋｇ×陽子のラブの質量÷自転軌道＝３．７５×１０−１Ｊｍ／Ｋｇ×陽子のラブの質量÷｛３．１４×公転軌道÷（４．３４×１０４）｝＝５．１８３×１０３Ｊｍ／Ｋｇ×陽子のラブの質量÷公転軌道
陽子のラブのエネルギー＝５．１８３×１０３Ｊｍ／Ｋｇ×陽子のラブの質量÷公転軌道
陽子のラブのエネルギー×公転軌道＝５．１８３×１０３Ｊｍ／Ｋｇ×陽子のラブの質量
この事によって理解できる事。
１Ｋｇの陽子のラブの公転の仕事は５．１８３×１０３Ｊｍである。
１Ｋｇの陽子のラブの公転の軌道エネルギーは、５．１８３×１０３Ｊｍである。
・１個の陽子のラブの公転軌道エネルギーはいくらか。
陽子のラブ１個の質量は、１．６７２６５×１０−２７Ｋｇですから、
陽子のラブのエネルギー×公転軌道＝５．１８３×１０３Ｊｍ／Ｋｇ×陽子のラブの質量＝５．１８３×１０３Ｊｍ／Ｋｇ×１．６７２６５×１０−２７Ｋｇ＝８．６６９×１０−２４Ｊｍ
陽子のラブの公転軌道エネルギーは、８．６６９×１０−２４Ｊｍです。
・電子のラブの公転の軌道エネルギーはいくらか。
自転軌道の式から公転軌道の式を導く。
Ｅ＝３．７５×１０−１Ｊｍ／Ｋｇ×電子のラブの質量÷自転軌道
電子のラブの自転軌道＝３．１４×公転軌道÷１公転するときの自転数＝３．１４×公転軌道÷（７．９６×１０７）
Ｅ＝３．７５×１０−１Ｊｍ／Ｋｇ×電子のラブの質量÷自転軌道＝３．７５×１０−１Ｊｍ／Ｋｇ×電子のラブの質量÷｛３．１４×公転軌道÷（７．９６×１０７）｝＝９．５０６×１０６Ｊｍ／Ｋｇ×電子のラブの質量÷公転軌道
電子のラブのエネルギー＝９．５０６×１０６Ｊｍ／Ｋｇ×電子のラブの質量÷公転軌道
電子のラブのエネルギー×公転軌道＝９．５０６×１０６Ｊｍ／Ｋｇ×電子のラブの質量
この事によって理解できる事。
１Ｋｇの電子のラブの公転の仕事は９．５０６×１０６Ｊｍである。
１Ｋｇの電子のラブの公転軌道エネルギーは、９．５０６×１０６Ｊｍである。
・１個の電子のラブの公転の軌道エネルギーはいくらか。
電子のラブ１個の質量は、９．１０９３８×１０−３１Ｋｇですから、
電子のラブのエネルギー×公転軌道＝９．５０６×１０６Ｊｍ／Ｋｇ×電子のラブの質量＝９．５０６×１０６Ｊｍ／Ｋｇ×９．１０９３８×１０−３１Ｋｇ＝８．６５９×１０−２４Ｊｍ
電子のラブの公転軌道エネルギーは、８．６５９×１０−２４Ｊｍです。
これを表に示す。但しＥ＝ラブのエネルギーです。
2007236187.tif 000008
【請求項４】
ラブのエネルギーは質量密度に比例する。ラブのエネルギー＝３．７５×１０−１Ｊｍ／Ｋｇ×質量密度です。この事は何を意味するか。
ラブのエネルギー＝Ｋ×質量密度
質量密度＝ラブのエネルギー×１／Ｋ
１／Ｋはラブのエネルギーが質量密度に変換する変換率です。
１／Ｋ＝１÷（３．７５×１０−１Ｊｍ／Ｋｇ）＝２．６６７Ｋｇ／Ｊｍ
２．６６７Ｋｇ／Ｊｍはラブのエネルギーが質量密度に変換する変換率です。
質量密度＝ラブのエネルギー×１／Ｋ＝ラブのエネルギー×２．６６７Ｋｇ／Ｊｍ
ラブの質量÷自転軌道＝ラブのエネルギー×２．６６７Ｋｇ／Ｊｍ
ラブのエネルギー×自転軌道＝ラブの質量÷２．６６７Ｋｇ／Ｊｍ
ラブのエネルギー×自転軌道＝ラブの質量×０．３７５Ｊｍ／Ｋｇ
ラブの質量＝ラブのエネルギー×自転軌道×２．６６７Ｋｇ／Ｊｍ
陽子のラブの場合。
ラブの質量＝ラブのエネルギー×自転軌道×２．６６７Ｋｇ／Ｊｍ
ラブの質量＝３．４１６×１０−３１Ｊｍ×２．６６７Ｋｇ／Ｊｍ＝９．１１×１０−３１Ｋｇ
即ち、２．６６７Ｋｇ／Ｊｍが意味することは、自転軌道エネルギー１Ｊｍは２．６６７Ｋｇに変換するということです。
【請求項５】
質量はどのようにしてできたか。
宇宙の原初質量はなかった。エネルギーはあったが質量はなかった。それでは質量はどのようにしてできたのか。
質量はエネルギーから生まれた。ビッグバンの以前、存在したのはエネルギーだけであった。それが、ビッグバンによって、エネルギーは絶対０度の空間に放出した。エネルギーは、急に冷えたので、固体になり、質量に変身した。
ビッグバンの以前、存在したのは光子のエネルギーであった。
そして、ビッグバンの時、光子のエネルギーは質量に変換した。
１Ｊｍの自転軌道エネルギーは２．６６７Ｋｇに変換した。
ビッグバンの以前１Ｊｍの自転軌道エネルギーの光子が、ビッグバンの時２．６６７Ｋｇの質量になった。
【請求項６】
質量は普遍である。質量普遍の法則。陽子のラブの質量は１．６７２６５×１０−２７Ｋｇで普遍です。電子のラブの質量は９．１０９３８×１０−３１Ｋｇで普遍です。
ビッグバンの以前光子であったエネルギーが、ビッグバンの時、絶対０度の空間に放出したので、質量に変換した。それで、陽子のラブの質量ができた。電子のラブの質量ができた。それ故、質量はビッグバンの以前のエネルギーをポテンシャルエネルギーとしてその中に持っている。
ビッグバンの時できた質量（陽子のラブの質量と電子のラブの質量）は再びエネルギーには換元されない。その質量をエネルギーに換元するためには、ビッグバンの以前のエネルギーに成る必要があるからです。
この事によって、陽子のラブの質量は一定であり、質量普遍の法則が成立します。電子のラブの質量は一定であり、質量普遍の法則が成立します。
【請求項７】
ビッグバンの以前のエネルギーが存在しなかったら、陽子のラブの質量は誕生できなかった。電子のラブの質量は誕生できなかった。
陽子のラブの質量はビッグバンの以前の光子のエネルギーをその中にポテンシャルエネルギーとして持っている。
電子のラブの質量はビッグバンの以前の光子のエネルギーをその中にポテンシャルエネルギーとして持っている。
【請求項８】
もし、ビッグバンの時、陽子のラブのエネルギーが１Ｊであったとしたならば、陽子のラブの自転軌道はいくらで、どれ位の質量ができたか。電子のラブのエネルギーはいくらで、自転軌道はいくらで、どれ位の質量ができたか。
・もし、ビッグバンの時、陽子のラブのエネルギーが１Ｊであったとしたならば、陽子のラブの自転軌道は、
陽子のラブの自転軌道エネルギー÷エネルギー＝６．２７２４×１０−２８Ｊｍ÷１Ｊ＝６．２７２４×１０−２８ｍです。
その時できた質量は、１Ｊｍの自転軌道エネルギーは２．６６７Ｋｇに変換するから、
１Ｊ×６．２７２４×１０−２８ｍ÷１Ｊｍ×２．６６７Ｋｇ＝１．６７２８×１０−２７Ｋｇです。
・もし、ビッグバンの時、陽子のラブのエネルギーが１Ｊであったとしたならば、
電子のラブのエネルギーは、１Ｊ÷１８３６＝５．４４６×１０−４Ｊです。
電子のラブの自転軌道は、
電子のラブの自転軌道エネルギー÷エネルギー＝３．４１６×１０−３１Ｊｍ÷（５．４４６×１０−４Ｊ）＝６．２７２５×１０−２８ｍです。
その時できた質量は、１Ｊｍの自転軌道エネルギーは２．６６７Ｋｇに変換するから、
５．４４×１０−４Ｊ×６．２７２５×１０−２８ｍ÷１Ｊｍ×２．６６７Ｋｇ＝９．１１×１０−３１Ｋｇです。
この事によって、ビッグバンの時できた陽子のラブの自転軌道と電子のラブの自転軌道は等しいことが理解できる。
・ビッグバンの時できた陽子のラブのエネルギーを１Ｊとすると、地上の陽子のラブのエネルギーの何倍のエネルギーであるか。
地上の陽子のラブのエネルギーは１．５×１０−１０Ｊですから、
１Ｊ÷（１．５×１０−１０Ｊ）＝６．６６７×１０９倍のエネルギーです。
この陽子のラブの自転軌道は地上の陽子のラブの自転軌道の何分の１か。
地上の陽子のラブの自転軌道は４．１８×１０−１８ｍですから、
６．２７２４×１０−２８ｍ÷（４．１８×１０−１８ｍ）＝１．５×１０−１０
１÷（１．５×１０−１０）＝６．６６７×１０９分の１です。
しかし、陽子のラブの質量は、ビッグバンの時も、現在の地上でも同じです。
・ビッグバンの時できた電子のラブのエネルギーを５．４４６×１０−４Ｊとすると、地上の電子のラブのエネルギーの何倍のエネルギーであるか。
地上の電子のラブのエネルギーは８．１８７×１０−１４Ｊですから、
５．４４６×１０−４Ｊ÷（８．１８７×１０−１４Ｊ）＝６．６５２×１０９倍のエネルギーです。
この電子のラブの自転軌道は地上の電子のラブの自転軌道の何分の１か。
地上の電子のラブの自転軌道は４．１８×１０−１８ｍですから、
６．２７２５×１０−２８ｍ÷（４．１８×１０−１８ｍ）＝１．５×１０−１０
１÷（１．５×１０−１０）＝６．６６７×１０９分の１です。
しかし、電子のラブの質量は、ビッグバンの時も、現在の地上でも同じです。
【請求項９】
もし、ビッグバンの時の場のエネルギーが、地上の１０１０倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
・もし、ビッグバンの時の場のエネルギーが、地上の１０１０倍であるとすると、陽子のラブのエネルギーは、１．５×１０−１０Ｊ×１０１０＝１．５Ｊです。
この陽子のラブの自転軌道は、
陽子のラブの自転軌道エネルギー÷陽子のラブのエネルギー＝６．２７２４×１０−２８Ｊｍ÷（１．５Ｊ）＝４．１８２×１０−２８ｍです。
この自転軌道エネルギーで、何Ｋｇのラブの質量ができるか。
１Ｊｍの自転軌道は２．６６７Ｋｇに変換するから、できる陽子のラブの質量は、
陽子のラブのエネルギー×陽子のラブの自転軌道÷１Ｊｍ×２．６６７Ｋｇ＝１．５Ｊ×４．１８２×１０−２８ｍ÷１Ｊｍ×２．６６７Ｋｇ＝１．６７３×１０−２７Ｋｇです。
よって、もし、ビッグバンの時の場のエネルギーが、地上の１０１０倍であるとすると、陽子のラブのエネルギーは１．５Ｊで、自転軌道は４．１８２×１０−２８ｍで、この自転軌道エネルギーは１．６７３×１０−２７Ｋｇに変換する。
・もし、ビッグバンの時の場のエネルギーが、地上の１０１０倍であるとすると、電子のラブのエネルギーは、８．１８７×１０−１４Ｊ×１０１０＝８．１８７×１０−４Ｊです。
この電子のラブの自転軌道は、
電子のラブの自転軌道エネルギー÷電子のラブのエネルギー＝３．４１６×１０−３１Ｊｍ÷（８．１８７×１０−４Ｊ）＝４．１７２×１０−２８ｍです。
このエネルギーで、何Ｋｇのラブの質量ができるか。
１Ｊｍの自転軌道は２．６６７Ｋｇに変換するから、できる電子のラブの質量は、
電子のラブのエネルギー×電子のラブの自転軌道÷１Ｊｍ×２．６６７Ｋｇ＝８．１８７×１０−４Ｊ×４．１７２×１０−２８ｍ÷１Ｊｍ×２．６６７Ｋｇ＝９．１１０×１０−３１Ｋｇです。
よって、もし、ビッグバンの時の場のエネルギーが、地上の１０１０倍であるとすると、電子のラブのエネルギーは８．１８７×１０−４Ｊで、自転軌道は４．１７２×１０−２８ｍで、この自転軌道エネルギーは９．１１×１０−３１Ｋｇに変換する。
【請求項１０】
もし、ビッグバンの時の場のエネルギーが、地上の１０１１倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
私は、２００５年１１月８日に提出した特願２００５−３５２６４２において、電子のラブの公転軌道を１０４才の宇宙の場では１０−１９ｍ、１０３才の宇宙の場では１０−２０ｍ、としています。そして、ビッグバンの以前の電子のラブの公転軌道は１０−２１ｍとしています。
もし、ビッブバンの時、電子のラブの公転軌道が１０−２１ｍであるとすると、その場のエネルギーは地上の、１０１１倍です。
・もし、ビッグバンの時の場のエネルギーが、地上の１０１１倍であるとすると、陽子のラブのエネルギーは、１．５×１０−１０Ｊ×１０１１＝１．５×１０Ｊです。
この陽子のラブの自転軌道は、
６．２７２４×１０−２８Ｊｍ÷１５Ｊ＝４．１８２×１０−２９ｍです。
この自転軌道エネルギーで、何Ｋｇのラブの質量ができるか。
１Ｊｍの自転軌道エネルギーは２．６６７Ｋｇに変換する。
できる質量＝ラブの自転軌道エネルギー÷１Ｊｍ×２．６６７Ｋｇ
陽子のラブの自転の軌道エネルギーは、６．２７２４×１０−２８Ｊｍですから、この自転軌道エネルギーはどれ位の質量に変換するか。
６．２７２４×１０−２８Ｊｍ÷１Ｊｍ×２．６６７Ｋｇ＝１．６７２８×１０−２７Ｋｇ
１．６７２８×１０−２７Ｋｇに変換する。
よって、もし、ビッグバンの時の場のエネルギーが、地上の１０１１倍であるとすると、陽子のラブのエネルギーは１５Ｊで、自転軌道は４．１８２×１０−２９ｍで、この自転軌道エネルギーは１．６７２８×１０−２７Ｋｇに変換する。
・もし、ビッグバンの時の場のエネルギーが、地上の１０１１倍であるとすると、電子のラブのエネルギーは、８．１８７×１０−１４Ｊ×１０１１＝８．１８７×１０−３Ｊです。
この電子のラブの自転軌道は、
３．４１６×１０−３１Ｊｍ÷（８．１８７×１０−３Ｊ）＝４．１７２×１０−２９ｍです。
この自転軌道エネルギーで、何Ｋｇのラブの質量ができるか。
１Ｊｍの自転軌道エネルギーは２．６６７Ｋｇに変換する。
電子のラブの自転軌道エネルギーは、３．４１６×１０−３１Ｊｍですから、この自転軌道エネルギーはどれ位の質量に変換するか。
３．４１６×１０−３１Ｊｍ÷１Ｊｍ×２．６６７Ｋｇ＝９．１１×１０−３１Ｋｇ
９．１１×１０−３１Ｋｇに変換する。
よって、もし、ビッグバンの時の場のエネルギーが、地上の１０１１倍であるとすると、電子のラブのエネルギーは８．１８７×１０−３Ｊで、自転軌道は４．１７２×１０−２９ｍで、この自転軌道エネルギーは９．１１×１０−３１Ｋｇに変換する。
【請求項１１】
もし、ビッグバンの時の場のエネルギーが、地上の１０１３倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
私は、２００５年１１月８日に提出した特願２００５−３５２６４２において、電子のラブの公転軌道を、１０４才の宇宙の場では１０−１９ｍ、１０３才の宇宙の場では１０−２０ｍとしています。それで、１０２才の宇宙の場では１０−２１ｍ、１０才の宇宙の場では１０−２２ｍ１１才の宇宙の場では１０−２３ｍとし、ビッグバンの時は１０−２３ｍとします。
もし、ビッブバンの時、電子のラブの公転軌道が１０−２３ｍであるとすると、その場のエネルギーは地上の、１０１３倍です。
・もし、ビッグバンの時の場のエネルギーが、地上の１０１３倍であるとすると、陽子のラブのエネルギーは、１．５×１０−１０Ｊ×１０１３＝１．５×１０３Ｊです。
この陽子のラブの自転軌道は、
６．２７２４×１０−２８Ｊｍ÷（１．５×１０３Ｊ）＝４．１８２×１０−３１ｍです。
この自転軌道エネルギーで、何Ｋｇのラブの質量ができるか。
１Ｊｍの自転軌道エネルギーは２．６６７Ｋｇに変換する。
陽子のラブの自転の軌道エネルギーは、６．２７２４×１０−２８Ｊｍですから、この軌道エネルギーはどれ位の質量に変換するか。
６．２７２４×１０−２８Ｊｍ÷１Ｊｍ×２．６６７Ｋｇ＝１．６７２８×１０−２７Ｋｇ
１．６７２８×１０−２７Ｋｇに変換する。
よって、もし、ビッグバンの時の場のエネルギーが、地上の１０１３倍てあるとすると、陽子のラブのエネルギーは１．５×１０３Ｊで、自転軌道は４．１８２×１０−３１ｍです。この自転軌道エネルギーは１．６７２８×１０−２７Ｋｇに変換する。
、もし、ビッグバンの時の場のエネルギーが、地上の１０１３倍であるとすると、電子のラブのエネルギーは、８．１８７×１０−１４Ｊ×１０１３＝８．１８７×１０−１Ｊです。
この電子のラブの自転軌道は、
３．４１６×１０−３１Ｊｍ÷（８．１８７×１０−１Ｊ）＝４．１７２×１０−３１ｍです。
この自転軌道エネルギーで、何Ｋｇのラブの質量ができるか。
１Ｊｍの自転軌道エネルギーは２．６６７Ｋｇに変換する。
電子のラブの自転軌道エネルギーは、３．４１６×１０−３１Ｊｍですから、この自転軌道エネルギーはどれ位の質量に変換するか。
３．４１６×１０−３１Ｊｍ÷１Ｊｍ×２．６６７Ｋｇ＝９．１１×１０−３１Ｋｇ
９．１１×１０−３１Ｋｇに変換する。
よって、もし、ビッグバンの時の場のエネルギーが、地上の１０１３倍であるとすると、電子のラブのエネルギーは８．１８７×１０−１Ｊで、自転軌道は４．１７２×１０−３１ｍです。この自転軌道エネルギーは９．１１×１０−３１Ｋｇに変換する。
【請求項１２】
ビッグバンの時、陽子のラブの質量となった自転軌道エネルギーを陽子のラブの光子と名づける。電子のラブの質量になった自転軌道エネルギーを電子のラブの光子と名づける。
ビッグバンの時、陽子のラブの質量となったエネルギーには質量が無かった。質量の無いエネルギーの粒子は光子です。それ故、ビッグバンの時、陽子のラブの質量となったエネルギーは光子です。この光子を陽子のラブの光子と名づける。
ビッグバンの時、電子のラブの質量となったエネルギーには質量が無かった。質量の無いエネルギーの粒子は光子です。それ故、ビッグバンの時、電子のラブの質量となったエネルギーは光子です。この光子を電子のラブの光子と名づける。
ビッグバンの以前、存在したのは、陽子のラブの光子と電子のラブの光子です。
陽子のラブの光子は自転していた。電子のラブの光子は自転していた。
陽子のラブの光子の自転軌道エネルギーが陽子のラブの質量になった。
電子のラブの光子の自転軌道エネルギーが電子のラブの質量に成った。
陽子のラブの光子の自転軌道エネルギー６．２７２４×１０−２８Ｊｍが陽子のラブの質量になった。
電子のラブの光子の自転軌道エネルギー３．４１６×１０−３１Ｊｍが電子のラブの質量になった。
【請求項１３】
陽子のラブの光子と電子のラブの光子はどのようにできたか。
石を溶かし蒸発させる電気光子の束（集合体）が陽子のラブの光子になったと考える。石を溶かし蒸発させる電気の光子の束（集合体）が電子のラブの光子になったと考える。
珪素の融点は１４１２℃で、沸点は３２６６℃です。
それで、石を溶かし沸騰させる電気の光子１個のエネルギーを電気の光子１個のエネルギーとする。
電気の光子１個のエネルギー×電気の光子１個のエネルギー＝３２６６℃
（電気の光子１個のエネルギー）２＝３２６６℃
電気の光子１個のエネルギー＝（３２６６℃）１／２＝５．３５１×１０℃
１℃＝２７４Ｋ＝２７４×１．３８０６５×１０−２３Ｊ＝３．７８３×１０−２１Ｊ
よって、電気の光子１個のエネルギー＝５．３５１×１０℃×３．７８３×１０−２１Ｊ＝２．０２４×１０−１９Ｊ
この石を溶かす電気の光子のエネルギー（２．０２４×１０−１９Ｊ）を電気の光子１個のエネルギーとする。この電気の光子が束になって（集合して）、陽子のラブの光子と電子のラブの光子ができたと考える。
それでは、例えば、ビッグバンの時、陽子のラブのエネルギーが１Ｊで、電子のラブのエネルギーが５．４４６×１０−４Ｊであったとします。
ビッグバンの以前、陽子のラブの光子のエネルギーは、２．０２４×１０−１９Ｊの電気の光子が何個集まったものか。
電気の光子が、１Ｊ÷（２．０２４×１０−１９Ｊ）＝４．９４１×１０１８個集まったものです。
ビッグバンの以前、電子のラブの光子のエネルギーは、２．０２４×１０−１９Ｊの電気の光子が何個集まったものか。
電気の光子が、５．４４６×１０−４Ｊ÷（２．０２４×１０−１９Ｊ）＝２．６９１×１０１５個集まったものです。
電気の光子の数＝ラブの光子のエネルギー÷（２．０２４×１０−１９Ｊ）です。
【請求項１４】
陽子のラブの秒速と電子のラブの秒速はどのような式で求められるか。
陽子のラブの秒速＝３．１４×陽子のラブの公転軌道×１秒間の公転数＝３．１４×８．６６５×１０−２４Ｊｍ÷陽子のラブのエネルギー×４．３４×１０４×７．９６×１０７回＝９．４×１０−１１Ｊｍ÷陽子のラブのエネルギー
電子のラブの秒速＝３．１４×電子のラブの公転軌道×１秒間の公転数＝３．１４×８．６６５×１０−２４Ｊｍ÷電子のラブのエネルギー×（７．９６×１０７回）２＝１．７２４×１０−７Ｊｍ÷電子のラブのエネルギー
陽子のラブの秒速＝３．１４×陽子のラブの公転軌道×１秒間の公転数＝３．１４×陽子のラブの公転軌道×４．３４×１０４×７．９６×１０７回＝１．０８５×１０１３×陽子のラブの公転軌道
電子のラブの秒速＝３．１４×電子のラブの公転軌道×１秒間の公転数＝３．１４×電子のラブの公転軌道×（７．９６×１０７回）２＝１．９９０×１０１６×電子のラブの公転軌道
陽子のラブの秒速＝９．４×１０−１１Ｊｍ÷陽子のラブのエネルギー＝１．０８５×１０１３×陽子のラブの公転軌道
電子のラブの秒速＝１．７２４×１０−７Ｊｍ÷電子のラブのエネルギー＝１．９９０×１０１６×電子のラブの公転軌道
【請求項１５】
電子のラブの秒速は陽子のラブの秒速の何倍か。
電子のラブの公転軌道は、陽子のラブの公転軌道の１８３６倍ですから、
電子のラブの秒速÷陽子のラブの秒速＝１．９９０×１０１６×電子のラブの公転軌道÷（１．０８５×１０１３×陽子のラブの公転軌道）＝１．９９０×１０１６×陽子のラブの公転軌道×１８３６÷（１．０８５×１０１３×陽子のラブの公転軌道）＝３．３６８×１０６＝（１．８３５×１０３）２
電子のラブの秒速は常に陽子のラブの秒速の３．３６８×１０６倍です。これは、質量比の２乗分の１です。引力比分の１です。
これらの事を表にして示す。
ビッグバンのときの場の様子。
2007236187.tif 000009
2007236187.tif 000010
ビッグバンの以前の様子。
2007236187.tif 000011
【請求項１６】
陽子のラブと電子のラブは高エネルギー加速器の鉄板を通過する。
陽子のラブの大きさは、陽子のラブの自転であり、４．１８×１０−１８ｍです。電子のラブの大きさは、電子のラブの自転であり、４．１７５×１０−１８ｍです。それで、陽子のラブと電子のラブは高エネルギー加速器を通過後鉄板に当たっても、通過してしまい、爆発はしない。それで、陽子のラブと電子のラブのエネルギーは測定不可能である。
【請求項１７】
Ｅ＝ｍｃ２で測定される陽子のエネルギーは、陽子のラブによって引き付けられている光子のエネルギーである。Ｅ＝ｍｃ２で測定される電子のエネルギーは、電子のラブによって引き付けられている光子のエネルギーである。
陽子のラブの場合。
陽子のラブが作る１束のエネルギーは、５．０５×１０−２７Ｊですから、何束の光子が引き付けられているか。
１．５×１０−１０Ｊ÷（５．０５×１０−２７Ｊ）＝２．９７×１０１６束の磁気の光子と電気の光子です。
陽子のラブは、磁気の光子と電気の光子をそれぞれ、（２．９７×１０１６束）１／２＝１．７２３×１０８束ずつ引き付けている。
それで、高エネルギー加速器を通過後、鉄板に当たって、陽子のラブは通過してしまうけれど、陽子のラブの周囲に引き付けられている電気の光子と磁気の光子は測定される。その電気の光子と磁気の光子はそれぞれ１．７２３×１０８束です。エネルギーは５．０５×１０−２７Ｊ×２．９７×１０１６束＝１．５×１０−１０Ｊ＝１．６７２６５×１０−２７Ｋｇ×９×１０１６＝ｍｃ２です。
電子のラブの場合。
電子のラブが作る１束のエネルギーは、９．２７４×１０−２４Ｊですから、何束の光子が引き付けられているか。
８．１８７×１０−１４Ｊ÷（９．２７４×１０−２４Ｊ）＝８．８２８×１０９束の磁気の光子と電気の光子です。
電子のラブは、磁気の光子と電気の光子をそれぞれ、（８．８２８×１０９束）１／２＝９．３９６×１０４束ずつ引き付けている。
それで、高エネルギー加速器を通過後、鉄板に当たって、電子のラブは通過してしまうけれど、電気の光子と磁気の光子は測定される。その電気の光子と磁気の光子はそれぞれ９．３９６×１０４束です。エネルギーは９．２７４×１０−２４Ｊ×８．８２８×１０９束＝８．１８７×１０−１４Ｊ＝９．１０９５×１０−３１Ｋｇ×９×１０１６＝ｍｃ２です。
【請求項１８】
どうして、陽子のラブは、１．７２３×１０８束の光子を引き付けておく事ができ、電子のラブは９．３９６×１０４束の光子を引き付けておく事ができるのか。
陽子のラブが作る磁気の光子１個のエネルギーは２．６８１×１０−３６Ｊです。電子のラブが作る磁気の光子１個のエネルギーは１．４６４×１０−３９Ｊです。
陽子のラブが作る磁気の光子１個のエネルギー：電子のラブが作る磁気の光子１個のエネルギー＝２．６８１×１０−３６Ｊ：１．４６４×１０−３９Ｊ＝１．８３１×１０３：１
陽子のラブが引き付けている光子の束：電子のラブが引き付けている光子の束＝１．７２３×１０８束：９．３９６×１０４束＝１．８３４×１０３：１
磁気の光子のエネルギーが光子を引き付けている。
それで、陽子のラブは、１．７２３×１０８束を引き付け、電子のラブは、９．３９６×１０４束を引き付けておくことができる。
この事によって、Ｅ＝ｍｃ２で示されるエネルギーは、ラブが作る磁気の光子のエネルギーにより引き付けられている電気の光子と磁気の光子のエネルギーである事が証明される。
【請求項１９】
Ｅ＝ｍｃ２は何を意味するか。
Ｅはラブの周囲に引き付けられている電気の光子と磁気の光子のエネルギーです。ｍはラブの質量です。ｃ２はラブ１Ｋｇにより引き止められている電気の光子と磁気の光子のエネルギーを求める係数です。
ラブ１Ｋｇにより引き止められている電気の光子と磁気の光子のエネルギーの係数はｃ２であり、エネルギーはｃ２Ｊです。
ラブの引力の係数は、９×１０１６Ｊ／Ｋｇ２です。
【請求項２０】
どうしてラブの引力の係数は９×１０１６Ｊ／Ｋｇ２なのか。
１Ｋｇの陽子のラブが１秒間に作る磁気の光子のエネルギーは、
１Ｋｇの陽子のラブの数×陽子のラブが作る１個の磁気の光子のエネルギー×１秒間にできる磁気の光子の数＝１Ｋｇ÷（１．６７２６５×１０−２７Ｋｇ）×２．６８１×１０−３６Ｊ×７．９６×１０７×（４．３４×１０４）２＝２．４０３×１０８Ｊ
１Ｋｇの陽子のラブが１秒間に作る磁気の光子のエネルギーは２．４０３×１０８Ｊであり、引力はこの２乗ですから、（２．４０３×１０８Ｊ）２＝５．７７４×１０１６Ｊです。
陽子のラブ１Ｋｇと陽子のラブ１Ｋｇでできる引力は９×１０１６Ｊ／Ｋｇ２です。
この事によって、陽子のラブの引力の係数は９×１０１６Ｊ／Ｋｇ２であると理解できる。
【請求項２１】
陽子のラブの引力係数が９×１０１６Ｊ／Ｋｇ２である事の証明。
陽子のラブ１Ｋｇと陽子のラブ１Ｋｇでできる引力は９×１０１６Ｊ／Ｋｇ２ですから、陽子のラブ１Ｋｇでは、（９×１０１６Ｊ／Ｋｇ２）１／２＝３×１０８Ｊ／Ｋｇです。
１Ｋｇの陽子の数は５．９７８×１０２６個ですから、１個の陽子のラブでできる引力（磁気の光子のエネルギー）は、３×１０８Ｊ／Ｋｇ÷（５．９７８×１０２６個）／Ｋｇ＝５．０１８×１０−１９Ｊです。
それでは、陽子のラブが１秒間に作る磁気の光子のエネルギーはいくらか。
陽子のラブが１秒間に作る磁気の光子のエネルギーは、
１個の磁気の光子のエネルギー×１秒間にできる磁気の光子の数＝２．６８１×１０−３６Ｊ×１．５×１０１７個＝４．０２２×１０−１９Ｊです。
１個の陽子のラブでできる引力（磁気の光子のエネルギー）は、陽子のラブが１秒間に作る磁気の光子のエネルギーです。
この事によって、陽子のラブが１秒間に作る磁気の光子のエネルギーが引力に成っていることが証明できた。
【請求項２２】
Ｅ＝ｍｃ２は陽子のラブが１秒間に作る電気の光子のエネルギー×磁気の光子のエネルギーであり、この光子のエネルギーを陽子のラブは自分の周囲に引き付けている。
Ｅ＝ｍｃ２のｍは質量です。物質の質量のほとんどは陽子のラブの質量です。
ｍ＝陽子のラブの質量
ｍ＝１の場合、即ち、陽子のラブの質量が１Ｋｇのエネルギーはｃ２Ｊ＝９×１０１６Ｊです。
これは、１Ｋｇの陽子のラブが１秒間に作る光子のエネルギーはｃ２Ｊ＝９×１０１６Ｊあることを示す。この光子を陽子のラブは自分の周囲に引き付けていることを示す。
即ち、陽子のラブは１秒間に作った磁気の光子と電気の光子を自分の周囲に引き付けている。
・１Ｋｇの陽子のラブが１秒間に作る電気の光子のエネルギーはいくらか。
１Ｋｇの陽子のラブの数は、１Ｋｇ÷（１．６７２６５×１０−２７Ｋｇ）＝５．９７８×１０２６個です。
１個の陽子のラブは、１秒間に、４．３４×１０４公転×７．９６×１０７束＝３．４５５×１０１２公転し、３．４５５×１０１２個の電気の光子を作る。
陽子のラブが作る１個の電気の光子のエネルギーは、１．１６４×１０−３１Ｊです。
１Ｋｇの陽子のラブが１秒間に作る電気の光子のエネルギーは、
１Ｋｇの陽子のラブの数×１個の陽子のラブが１秒間に作る電気の光子の数×１個の電気の光子のエネルギー＝５．９７８×１０２６個×３．４５５×１０１２個×１．１６４×１０−３１Ｊ＝２．４×１０８Ｊ
２．４×１０８Ｊです。
・１Ｋｇの陽子のラブが１秒間に作る磁気の光子のエネルギーはいくらか。
１個の陽子のラブは、１秒間で４．３４×１０４自転×４．３４×１０４公転×７．９６×１０７束＝１．５×１０１７自転し、１．５×１０１７個の磁気の光子を作る。
１個の磁気の光子のエネルギーは、２．６８１×１０−３６Ｊです。
１Ｋｇの陽子のラブが１秒間に作る磁気の光子のエネルギーは、
１Ｋｇの陽子のラブの数×１個の陽子のラブが１秒間に作る磁気の光子の数×１個の磁気の光子のエネルギー＝５．９７８×１０２６個×１．５×１０１７個×２．６８１×１０−３６Ｊ＝２．４×１０８Ｊ
２．４×１０８Ｊです。
・１Ｋｇの陽子のラブが１秒間に作る光子のエネルギーはいくらか。
１Ｋｇの陽子のラブが１秒間に作る光子のエネルギーは、電気の光子のエネルギーは２．４×１０８Ｊであり、磁気の光子のエネルギーは２．４×１０８Ｊです。
それで、１Ｋｇの陽子のラブが１秒間に作る光子のエネルギーは、
電気の光子のエネルギー×磁気の光子のエネルギー＝２．４×１０８Ｊ×２．４×１０８Ｊ＝５．７８×１０１６Ｊです。
５．７８×１０１６Ｊはおよそ光速の２乗の値です。
よって、１Ｋｇの陽子のラブが１秒間に作る光子のエネルギーは５．７８×１０１６Ｊであることから、Ｅ＝ｍｃ２は、１Ｋｇの陽子のラブは１秒間に、およそｃ２Ｊ＝９×１０１６Ｊの光子を作り、陽子のラブはこの光子を自分の周囲に引き付けている。
Ｅ＝ｍｃ２は、１Ｋｇの物質は１秒間に、およそｃ２Ｊ＝９×１０１６Ｊの光子を作り、１つ１つの陽子のラブはこの１秒間に作った電気の光子と磁気の光子を自分の周囲に引き付けている事を示す。
【発明の詳細な説明】
【技術分野】
【０００１】  この発明は、陽子の質量について。電子の質量について。陽子の質量はどのようにできたか。電子の質量はどのようにできたか。Ｅ＝ｍｃ２のエネルギーについて。Ｅ＝ｍｃ２のエネルギーは何のエネルギーかに関する。
【背景技術】
【０００２】  従来、陽子の質量と電子の質量はどのようにできたのか理解されていない。陽子の質量と電子の質量はＥ＝ｍｃ２で求められると認識されている。
【発明の開示】
陽子のラブの質量はビッグバンの時できた。その質量は普遍であり、ビッグバンの時のエネルギーを内に持っている。それで、高エネルギー加速器で、鉄板に陽子のラブをぶつける時、陽子のラブは鉄板を通過する。それでは、Ｅ＝ｍｃ２で測定されるエネルギーは何のエネルギーであるか。
陽子のラブの大きさは陽子のラブの自転軌道であり、４．１８×１０−１８ｍです。電子のラブの大きさは電子のラブの自転軌道であり、４．１８×１０−１８ｍです。陽子のラブと電子のラブは、高エネルギー加速器で鉄板にぶつかると、鉄板を通過してしまう。それでは、Ｅ＝ｍｃ２のエネルギーは何のエネルギーであるのか。
Ｅ＝ｍｃ２のエネルギーは陽子のラブが作る光子のエネルギーである。Ｅ＝ｍｃ２のエネルギーは陽子のラブが引き付けている光子のエネルギーである。
１Ｋｇの陽子のラブが１秒間に作る電気の光子のエネルギーは、１Ｋｇの陽子のラブの数×１個の陽子のラブが１秒間に作る電気の光子の数×１個の電気の光子のエネルギー＝１Ｋｇ÷（１．６７２６５×１０−２７Ｋｇ）×４．３４×１０４×７．９６×１０７個×１．１６４×１０−３１Ｊ＝２．４×１０８Ｊです。
１Ｋｇの陽子のラブが１秒間に作る磁気の光子のエネルギーも２．４×１０８Ｊです。
それで、１Ｋｇの陽子のラブが１秒間に作る電気の光子のエネルギー×磁気の光子のエネルギー＝（２．４×１０８Ｊ）２Ｊです。２．４×１０８＝ｃとすると、
１Ｋｇの陽子のラブが１秒間に作る電気の光子のエネルギー×磁気の光子のエネルギー＝（２．４×１０８Ｊ）２Ｊ＝ｃ２Ｊです。
よって、Ｅ＝ｍｃ２とは、１Ｋｇの陽子のラブが１秒間に作る光子のエネルギーである。
又、次のようにも考えられる。
１Ｋｇの原子は、自分の周囲にｃ２Ｊのエネルギーの光子を引き付けている。
それで、１Ｋｇの原子を爆発させた時、ｃ２Ｊのエネルギーの光子が出る。これは陽子のラブの周囲に引き付けられている光子と、電子のラブに引き付けられている光子のエネルギーです。１個の陽子のラブの周囲に、１．５×１０−１０Ｊの光子が引き付けられている。１個の電子のラブの周囲に８．１８７×１０−１４Ｊの光子が引き付けられている。
【発明が解決しようとする課題】
【０００３】１．  質量密度＝ラブの質量÷自転軌道とする。
２．  ラブのエネルギーは質量密度に比例する。
３．  ラブのエネルギー＝３．７５×１０−１Ｊｍ／Ｋｇ×ラブの質量÷自転軌道の式はどのような事を現しているのか。
４．  ラブのエネルギーは質量密度に比例する。ラブのエネルギー＝３．７５×１０−１Ｊｍ／Ｋｇ×質量密度です。この事は何を意味するか。
５．  質量はどのようにしてできたか。
６．  質量は普遍である。質量普遍の法則。陽子のラブの質量は１．６７２６５×１０−２７Ｋｇで普遍です。電子のラブの質量は９．１０９３８×１０−３１Ｋｇで普遍です。
７．  ビッグバンの以前のエネルギーが存在しなかったら、陽子のラブの質量は誕生できなかった。電子のラブの質量は誕生できなかった。
８．  もし、ビッグバンの時、陽子のラブのエネルギーが１Ｊであったとしたならば、陽子のラブの自転軌道はいくらで、どれ位の質量ができたか。電子のラブのエネルギーはいくらで、自転軌道はいくらで、どれ位の質量ができたか。
９．  もし、ビッグバンの時の場のエネルギーが、地上の１０１０倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
１０．  もし、ビッグバンの時の場のエネルギーが、地上の１０１１倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
１１．  もし、ビッグバンの時の場のエネルギーが、地上の１０１３倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
１２．  ビッグバンの時、陽子のラブの質量となった自転軌道エネルギーを陽子のラブの光子と名づける。電子のラブの質量になった自転軌道エネルギーを電子のラブの光子と名づける。
１３．  陽子のラブの光子と電子のラブの光子はどのようにできたか。
１４．  陽子のラブの秒速と電子のラブの秒速はどのような式で求められるか。
１５．  電子のラブの秒速は陽子のラブの秒速の何倍か。
１６．  陽子のラブと電子のラブは高エネルギー加速器の鉄板を通過する。
１７．  Ｅ＝ｍｃ２で測定される陽子のエネルギーは、陽子のラブによって引き付けられている光子のエネルギーである。Ｅ＝ｍｃ２で測定される電子のエネルギーは、電子のラブによって引き付けられている光子のエネルギーである。
１８．  どうして、陽子のラブは、１．７２３×１０８束の光子を引き付けておく事ができ、電子のラブは９．３９６×１０４束の光子を引き付けておく事ができるのか。
１９．  Ｅ＝ｍｃ２は何を意味するか。
２０．  どうしてラブの引力の係数は９×１０１６Ｊ／Ｋｇ２なのか。
２１．  陽子のラブの引力係数が９×１０１６Ｊ／Ｋｇ２である事の証明。
２２．  Ｅ＝ｍｃ２は陽子のラブが１秒間に作る電気の光子のエネルギー×磁気の光子のエネルギーであり、この光子のエネルギーを陽子のラブは自分の周囲に引き付けている。
【発明を解決するための手段】
【０００４】質量はどのようにできたかについては、要約書に記したように考える。
Ｅ＝ｍｃ２のエネルギーはどのようなエネルギーであるかについては、発明の開示に記したように考える。
【発明の実施態様】
【０００５】１．  質量密度＝ラブの質量÷自転軌道とする。
原子の電子のラブの質量は９．１０９５×１０−３１Ｋｇで、自転軌道は４．１７５×１０−１８ｍです。
原子の電子のラブの質量密度は、
９．１０９５×１０−３１Ｋｇ÷（４．１７５×１０−１８ｍ）＝２．１８２×１０−１３Ｋｇ／ｍです。
中性子の電子のラブの質量は９．１０９５×１０−３１Ｋｇで、自転軌道は５．０５×１０−２３ｍです。
中性子の電子のラブの質量密度は、
９．１０９５×１０−３１Ｋｇ÷（５．０５×１０−２３ｍ）＝１．８０４×１０−８Ｋｇ／ｍです。
原子の陽子のラブの質量は１．６７２６５×１０−２７Ｋｇで、自転軌道は４．１８×１０−１８ｍです。
原子の陽子のラブの質量密度は、
１．６７２６５×１０−２７Ｋｇ÷（４．１８×１０−１８ｍ）＝４×１０−１０Ｋｇ／ｍです。
中性子の陽子のラブの質量は１．６７２６５×１０−２７Ｋｇで、自転軌道は９．２３２×１０−２０ｍです。
中性子の陽子のラブの質量密度は、
１．６７２６５×１０−２７Ｋｇ÷（９．２３２×１０−２０ｍ）＝１．８１２×１０−８Ｋｇ／ｍです。
２．  ラブのエネルギーは質量密度に比例する。
原子の電子ラブの質量密度は、２．１８２×１０−１３Ｋｇ／ｍです。エネルギーは、８．１８７×１０−１４Ｊです。
中性子の電子のラブの質量密度は、１．８０４×１０−８Ｋｇ／ｍです。エネルギーは、６．７９１×１０−９Ｊです。
原子の陽子のラブの質量密度は、４×１０−１０Ｋｇ／ｍです。エネルギーは、１．５０３３×１０−１０Ｊです。
中性子の陽子のラブの質量密度は、１．８１２×１０−８Ｋｇ／ｍです。エネルギーは、６．７９１×１０−９Ｊです。
エネルギー＝Ｋ×質量密度とすると、
原子の電子のラブの場合。
Ｋ＝エネルギー÷質量密度＝８．１８７×１０−１４Ｊ÷（２．１８２×１０−１３Ｋｇ／ｍ）＝３．７５２×１０−１Ｊｍ／Ｋｇ
中性子のラブの場合。
Ｋ＝エネルギー÷質量密度＝６．７９１×１０−９Ｊ÷（１．８０４×１０−８Ｋｇ／ｍ）＝３．７６４×１０−１Ｊｍ／Ｋｇ
原子の陽子のラブの場合。
Ｋ＝エネルギー÷質量密度＝１．５０３３×１０−１０Ｊ÷（４×１０−１０Ｋｇ／ｍ）＝３．７５８×１０−１Ｊｍ／Ｋｇ
中性子の陽子のラブの場合。
Ｋ＝エネルギー÷質量密度＝６．７９１×１０−９Ｊ÷（１．８１２×１０−８Ｋｇ／ｍ）＝３．７４８×１０−１Ｊｍ／Ｋｇ
よって、Ｋ＝３．７５×１０−１Ｊｍ／Ｋｇです。
ラブのエネルギー＝Ｋ×質量密度
ラブのエネルギー＝３．７５×１０−１Ｊｍ／Ｋｇ×質量密度
ラブのエネルギー＝３．７５×１０−１Ｊｍ／Ｋｇ×ラブの質量÷自転軌道
この事によって、ラブのエネルギーは質量密度に比例する事が理解できる。
エネルギーの高い素粒子は、質量密度が高い。
陽子のラブのエネルギーは、電子のラブのエネルギーの１８３６倍ですから、
陽子のラブの質量密度は、電子のラブの質量密度の１８３６倍です。
陽子のラブの質量密度÷電子のラブの質量密度＝４×１０−１０Ｋｇ／ｍ÷（２．１８２×１０−１３Ｋｇ／ｍ）＝１８３３
３．  ラブのエネルギー＝３．７５×１０−１Ｊｍ／Ｋｇ×ラブの質量÷自転軌道の式はどのような事を現しているのか。
ラブのエネルギー＝３．７５×１０−１Ｊｍ／Ｋｇ×ラブの質量÷自転軌道
Ｅ＝ラブのエネルギー＝３．７５×１０−１Ｊｍ／Ｋｇ×ラブの質量÷自転軌道
Ｅ×自転軌道＝３．７５×１０−１Ｊｍ／Ｋｇ×ラブの質量
ラブのエネルギー×自転する距離＝ラブが１自転する仕事＝ラブの質量×３．７５×１０−１Ｊｍ／Ｋｇ
・３．７５×１０−１Ｊｍ／Ｋｇはどのようなことを意味するのか。
ラブ１Ｋｇは、自転するとき３．７５×１０−１Ｊｍの仕事をする。
ラブ１Ｋｇの自転軌道エネルギーは３．７５×１０−１Ｊｍです。
１Ｋｇの陽子のラブは、自転するとき３．７５×１０−１Ｊｍの仕事をする。
１Ｋｇの陽子のラブの自転軌道エネルギーは３．７５×１０−１Ｊｍです。
１Ｋｇの電子のラブは、自転するとき３．７５×１０−１Ｊｍの仕事をする。
１Ｋｇの電子のラブの自転軌道エネルギーは３．７５×１０−１Ｊｍです。
・陽子のラブの自転軌道エネルギーはいくらか。
陽子のラブの自転軌道エネルギーは、陽子のラブ１個の質量は、１．６７２６５×１０−２７Ｋｇですから、
３．７５×１０−１Ｊｍ／Ｋｇ×１．６７２６５×１０−２７Ｋｇ＝６．２７２４×１０−２８Ｊｍです。
この事によって、陽子のラブのエネルギーは、自転軌道によって異なる事が理解できる。
陽子のラブのエネルギー＝６．２７２４×１０−２８Ｊｍ÷自転軌道
陽子のラブの自転軌道が４．１８×１０−１８ｍのとき、陽子のラブのエネルギーは、
陽子のラブのエネルギー＝６．２７２４×１０−２８Ｊｍ÷自転軌道＝６．２７２４×１０−２８Ｊｍ÷（４．１８×１０−１８ｍ）＝１．５×１０−１０Ｊです。
陽子のラブの自転軌道が１０−２０ｍのとき、陽子のラブのエネルギーは、
陽子のラブのエネルギー＝６．２７２４×１０−２８Ｊｍ÷自転軌道＝６．２７２４×１０−２８Ｊｍ÷１０−２０ｍ＝６．２７２４×１０−８Ｊです。
・電子のラブの自転軌道エネルギーはいくらか。
電子のラブの自転の軌道エネルギーは、
３．７５×１０−１Ｊｍ／Ｋｇ×９．１０９５×１０−３１Ｋｇ＝３．４１６×１０−３１Ｊｍです。
この事によって、電子のラブのエネルギーは、自転軌道によって異なる事が理解できる。
電子のラブのエネルギー＝３．４１６×１０−３１Ｊｍ÷自転軌道
電子のラブの自転軌道が４．１８×１０−１８ｍのとき、電子のラブのエネルギーは、
電子のラブのエネルギー＝３．４１６×１０−３１Ｊｍ÷自転軌道＝３．４１６×１０−３１Ｊｍ÷（４．１８×１０−１８ｍ）＝８．１７２×１０−１４Ｊです。
電子のラブの自転軌道が１０−２０ｍのとき、電子のラブのエネルギーは、
電子のラブのエネルギー＝３．４１６×１０−３１Ｊｍ÷自転軌道＝３．４１６×１０−３１Ｊｍ÷１０−２０ｍ＝３４１６×１０−１１Ｊです。
・陽子のラブの公転の軌道エネルギーはいくらか。
自転軌道の式から公転軌道の式を導く。
Ｅ＝３．７５×１０−１Ｊｍ／Ｋｇ×陽子のラブの質量÷自転軌道
陽子のラブの自転軌道＝３．１４×公転軌道÷１公転するときの自転数＝３．１４×公転軌道÷（４．３４×１０４）
Ｅ＝３．７５×１０−１Ｊｍ／Ｋｇ×陽子のラブの質量÷自転軌道＝３．７５×１０−１Ｊｍ／Ｋｇ×陽子のラブの質量÷｛３．１４×公転軌道÷（４．３４×１０４）｝＝５．１８３×１０３Ｊｍ／Ｋｇ×陽子のラブの質量÷公転軌道
陽子のラブのエネルギー＝５．１８３×１０３Ｊｍ／Ｋｇ×陽子のラブの質量÷公転軌道
陽子のラブのエネルギー×公転軌道＝５．１８３×１０３Ｊｍ／Ｋｇ×陽子のラブの質量
この事によって理解できる事。
１Ｋｇの陽子のラブの公転の仕事は５．１８３×１０３Ｊｍである。
１Ｋｇの陽子のラブの公転の軌道エネルギーは、５．１８３×１０３Ｊｍである。
・１個の陽子のラブの公転軌道エネルギーはいくらか。
陽子のラブ１個の質量は、１．６７２６５×１０−２７Ｋｇですから、
陽子のラブのエネルギー×公転軌道＝５．１８３×１０３Ｊｍ／Ｋｇ×陽子のラブの質量＝５．１８３×１０３Ｊｍ／Ｋｇ×１．６７２６５×１０−２７Ｋｇ＝８．６６９×１０−２４Ｊｍ
陽子のラブの公転軌道エネルギーは、８．６６９×１０−２４Ｊｍです。
・電子のラブの公転の軌道エネルギーはいくらか。
自転軌道の式から公転軌道の式を導く。
Ｅ＝３．７５×１０−１Ｊｍ／Ｋｇ×電子のラブの質量÷自転軌道
電子のラブの自転軌道＝３．１４×公転軌道÷１公転するときの自転数＝３．１４×公転軌道÷（７．９６×１０７）
Ｅ＝３．７５×１０−１Ｊｍ／Ｋｇ×電子のラブの質量÷自転軌道＝３．７５×１０−１Ｊｍ／Ｋｇ×電子のラブの質量÷｛３．１４×公転軌道÷（７．９６×１０７）｝＝９．５０６×１０６Ｊｍ／Ｋｇ×電子のラブの質量÷公転軌道
電子のラブのエネルギー＝９．５０６×１０６Ｊｍ／Ｋｇ×電子のラブの質量÷公転軌道
電子のラブのエネルギー×公転軌道＝９．５０６×１０６Ｊｍ／Ｋｇ×電子のラブの質量
この事によって理解できる事。
１Ｋｇの電子のラブの公転の仕事は９．５０６×１０６Ｊｍである。
１Ｋｇの電子のラブの公転軌道エネルギーは、９．５０６×１０６Ｊｍである。
・１個の電子のラブの公転の軌道エネルギーはいくらか。
電子のラブ１個の質量は、９．１０９３８×１０−３１Ｋｇですから、
電子のラブのエネルギー×公転軌道＝９．５０６×１０６Ｊｍ／Ｋｇ×電子のラブの質量＝９．５０６×１０６Ｊｍ／Ｋｇ×９．１０９３８×１０−３１Ｋｇ＝８．６５９×１０−２４Ｊｍ
電子のラブの公転軌道エネルギーは、８．６５９×１０−２４Ｊｍです。
これを表に示す。但しＥ＝ラブのエネルギーです。
2007236187.tif 000003
2007236187.tif 000004
４．  ラブのエネルギーは質量密度に比例する。ラブのエネルギー＝３．７５×１０−１Ｊｍ／Ｋｇ×質量密度です。この事は何を意味するか。
ラブのエネルギー＝Ｋ×質量密度
質量密度＝ラブのエネルギー×１／Ｋ
１／Ｋはラブのエネルギーが質量密度に変換する変換率です。
１／Ｋ＝１÷（３．７５×１０−１Ｊｍ／Ｋｇ）＝２．６６７Ｋｇ／Ｊｍ
２．６６７Ｋｇ／Ｊｍはラブのエネルギーが質量密度に変換する変換率です。
質量密度＝ラブのエネルギー×１／Ｋ＝ラブのエネルギー×２．６６７Ｋｇ／Ｊｍ
ラブの質量÷自転軌道＝ラブのエネルギー×２．６６７Ｋｇ／Ｊｍ
ラブのエネルギー×自転軌道＝ラブの質量÷２．６６７Ｋｇ／Ｊｍ
ラブのエネルギー×自転軌道＝ラブの質量×０．３７５Ｊｍ／Ｋｇ
ラブの質量＝ラブのエネルギー×自転軌道×２．６６７Ｋｇ／Ｊｍ
陽子のラブの場合。
ラブの質量＝ラブのエネルギー×自転軌道×２．６６７Ｋｇ／Ｊｍ
ラブの質量＝３．４１６×１０−３１Ｊｍ×２．６６７Ｋｇ／Ｊｍ＝９．１１×１０−３１Ｋｇ
即ち、２．６６７Ｋｇ／Ｊｍが意味することは、自転軌道エネルギー１Ｊｍは２．６６７Ｋｇに変換するということです。
５．  質量はどのようにしてできたか。
宇宙の原初質量はなかった。エネルギーはあったが質量はなかった。それでは質量はどのようにしてできたのか。
質量はエネルギーから生まれた。ビッグバンの以前、存在したのはエネルギーだけであった。それが、ビッグバンによって、エネルギーは絶対０度の空間に放出した。エネルギーは、急に冷えたので、固体になり、質量に変身した。
ビッグバンの以前、存在したのは光子のエネルギーであった。
そして、ビッグバンの時、光子のエネルギーは質量に変換した。
１Ｊｍの自転軌道エネルギーは２．６６７Ｋｇに変換した。
ビッグバンの以前１Ｊｍの自転軌道エネルギーの光子が、ビッグバンの時２．６６７Ｋｇの質量になった。
６．  質量は普遍である。質量普遍の法則。陽子のラブの質量は１．６７２６５×１０−２７Ｋｇで普遍です。電子のラブの質量は９．１０９３８×１０−３１Ｋｇで普遍です。
ビッグバンの以前光子であったエネルギーが、ビッグバンの時、絶対０度の空間に放出したので、質量に変換した。それで、陽子のラブの質量ができた。電子のラブの質量ができた。それ故、質量はビッグバンの以前のエネルギーをポテンシャルエネルギーとしてその中に持っている。
ビッグバンの時できた質量（陽子のラブの質量と電子のラブの質量）は再びエネルギーには換元されない。その質量をエネルギーに換元するためには、ビッグバンの以前のエネルギーに成る必要があるからです。
この事によって、陽子のラブの質量は一定であり、質量普遍の法則が成立します。電子のラブの質量は一定であり、質量普遍の法則が成立します。
７．  ビッグバンの以前のエネルギーが存在しなかったら、陽子のラブの質量は誕生できなかった。電子のラブの質量は誕生できなかった。
陽子のラブの質量はビッグバンの以前の光子のエネルギーをその中にポテンシャルエネルギーとして持っている。
電子のラブの質量はビッグバンの以前の光子のエネルギーをその中にポテンシャルエネルギーとして持っている。
８．  もし、ビッグバンの時、陽子のラブのエネルギーが１Ｊであったとしたならば、陽子のラブの自転軌道はいくらで、どれ位の質量ができたか。電子のラブのエネルギーはいくらで、自転軌道はいくらで、どれ位の質量ができたか。
・もし、ビッグバンの時、陽子のラブのエネルギーが１Ｊであったとしたならば、陽子のラブの自転軌道は、
陽子のラブの自転軌道エネルギー÷エネルギー＝６．２７２４×１０−２８Ｊｍ÷１Ｊ＝６．２７２４×１０−２８ｍです。
その時できた質量は、１Ｊｍの自転軌道エネルギーは２．６６７Ｋｇに変換するから、
１Ｊ×６．２７２４×１０−２８ｍ÷１Ｊｍ×２．６６７Ｋｇ＝１．６７２８×１０−２７Ｋｇです。
・もし、ビッグバンの時、陽子のラブのエネルギーが１Ｊであったとしたならば、
電子のラブのエネルギーは、１Ｊ÷１８３６＝５．４４６×１０−４Ｊです。
電子のラブの自転軌道は、
電子のラブの自転軌道エネルギー÷エネルギー＝３．４１６×１０−３１Ｊｍ÷（５．４４６×１０−４Ｊ）＝６．２７２５×１０−２８ｍです。
その時できた質量は、１Ｊｍの自転軌道エネルギーは２．６６７Ｋｇに変換するから、
５．４４×１０−４Ｊ×６．２７２５×１０−２８ｍ÷１Ｊｍ×２．６６７Ｋｇ＝９．１１×１０−３１Ｋｇです。
この事によって、ビッグバンの時できた陽子のラブの自転軌道と電子のラブの自転軌道は等しいことが理解できる。
・ビッグバンの時できた陽子のラブのエネルギーを１Ｊとすると、地上の陽子のラブのエネルギーの何倍のエネルギーであるか。
地上の陽子のラブのエネルギーは１．５×１０−１０Ｊですから、
１Ｊ÷（１．５×１０−１０Ｊ）＝６．６６７×１０９倍のエネルギーです。
この陽子のラブの自転軌道は地上の陽子のラブの自転軌道の何分の１か。
地上の陽子のラブの自転軌道は４．１８×１０−１８ｍですから、
６．２７２４×１０−２８ｍ÷（４．１８×１０−１８ｍ）＝１．５×１０−１０
１÷（１．５×１０−１０）＝６．６６７×１０９分の１です。
しかし、陽子のラブの質量は、ビッグバンの時も、現在の地上でも同じです。
・ビッグバンの時できた電子のラブのエネルギーを５．４４６×１０−４Ｊとすると、地上の電子のラブのエネルギーの何倍のエネルギーであるか。
地上の電子のラブのエネルギーは８．１８７×１０−１４Ｊですから、
５．４４６×１０−４Ｊ÷（８．１８７×１０−１４Ｊ）＝６．６５２×１０９倍のエネルギーです。
この電子のラブの自転軌道は地上の電子のラブの自転軌道の何分の１か。
地上の電子のラブの自転軌道は４．１８×１０−１８ｍですから、
６．２７２５×１０−２８ｍ÷（４．１８×１０−１８ｍ）＝１．５×１０−１０
１÷（１．５×１０−１０）＝６．６６７×１０９分の１です。
しかし、電子のラブの質量は、ビッグバンの時も、現在の地上でも同じです。
９．  もし、ビッグバンの時の場のエネルギーが、地上の１０１０倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
・もし、ビッグバンの時の場のエネルギーが、地上の１０１０倍であるとすると、陽子のラブのエネルギーは、１．５×１０−１０Ｊ×１０１０＝１．５Ｊです。
この陽子のラブの自転軌道は、
陽子のラブの自転軌道エネルギー÷陽子のラブのエネルギー＝６．２７２４×１０−２８Ｊｍ÷（１．５Ｊ）＝４．１８２×１０−２８ｍです。
この自転軌道エネルギーで、何Ｋｇのラブの質量ができるか。
１Ｊｍの自転軌道は２．６６７Ｋｇに変換するから、できる陽子のラブの質量は、
陽子のラブのエネルギー×陽子のラブの自転軌道÷１Ｊｍ×２．６６７Ｋｇ＝１．５Ｊ×４．１８２×１０−２８ｍ÷１Ｊｍ×２．６６７Ｋｇ＝１．６７３×１０−２７Ｋｇです。
よって、もし、ビッグバンの時の場のエネルギーが、地上の１０１０倍であるとすると、陽子のラブのエネルギーは１．５Ｊで、自転軌道は４．１８２×１０−２８ｍで、この自転軌道エネルギーは１．６７３×１０−２７Ｋｇに変換する。
・もし、ビッグバンの時の場のエネルギーが、地上の１０１０倍であるとすると、電子のラブのエネルギーは、８．１８７×１０−１４Ｊ×１０１０＝８．１８７×１０−４Ｊです。
この電子のラブの自転軌道は、
電子のラブの自転軌道エネルギー÷電子のラブのエネルギー＝３．４１６×１０−３１Ｊｍ÷（８．１８７×１０−４Ｊ）＝４．１７２×１０−２８ｍです。
このエネルギーで、何Ｋｇのラブの質量ができるか。
１Ｊｍの自転軌道は２．６６７Ｋｇに変換するから、できる電子のラブの質量は、
電子のラブのエネルギー×電子のラブの自転軌道÷１Ｊｍ×２．６６７Ｋｇ＝８．１８７×１０−４Ｊ×４．１７２×１０−２８ｍ÷１Ｊｍ×２．６６７Ｋｇ＝９．１１０×１０−３１Ｋｇです。
よって、もし、ビッグバンの時の場のエネルギーが、地上の１０１０倍であるとすると、電子のラブのエネルギーは８．１８７×１０−４Ｊで、自転軌道は４．１７２×１０−２８ｍで、この自転軌道エネルギーは９．１１×１０−３１Ｋｇに変換する。
１０．  もし、ビッグバンの時の場のエネルギーが、地上の１０１１倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
私は、２００５年１１月８日に提出した特願２００５−３５２６４２において、電子のラブの公転軌道を１０４才の宇宙の場では１０−１９ｍ、１０３才の宇宙の場では１０−２０ｍ、としています。そして、ビッグバンの以前の電子のラブの公転軌道は１０−２１ｍとしています。
もし、ビッブバンの時、電子のラブの公転軌道が１０−２１ｍであるとすると、その場のエネルギーは地上の、１０１１倍です。
・もし、ビッグバンの時の場のエネルギーが、地上の１０１１倍であるとすると、陽子のラブのエネルギーは、１．５×１０−１０Ｊ×１０１１＝１．５×１０Ｊです。
この陽子のラブの自転軌道は、
６．２７２４×１０−２８Ｊｍ÷（１５Ｊ）＝４．１８２×１０−２９ｍです。
この自転軌道エネルギーで、何Ｋｇのラブの質量ができるか。
１Ｊｍの自転軌道エネルギーは２．６６７Ｋｇに変換する。
できる質量＝ラブの自転軌道エネルギー÷１Ｊｍ×２．６６７Ｋｇ
陽子のラブの自転の軌道エネルギーは、６．２７２４×１０−２８Ｊｍですから、この自転軌道エネルギーはどれ位の質量に変換するか。
６．２７２４×１０−２８Ｊｍ÷１Ｊｍ×２．６６７Ｋｇ＝１．６７２８×１０−２７Ｋｇ
１．６７２８×１０−２７Ｋｇに変換する。
よって、もし、ビッグバンの時の場のエネルギーが、地上の１０１１倍であるとすると、陽子のラブのエネルギーは１５Ｊで、自転軌道は４．１８２×１０−２９ｍで、この自転軌道エネルギーは１．６７２８×１０−２７Ｋｇに変換する。
・もし、ビッグバンの時の場のエネルギーが、地上の１０１１倍であるとすると、電子のラブのエネルギーは、８．１８７×１０−１４Ｊ×１０１１＝８．１８７×１０−３Ｊです。
この電子のラブの自転軌道は、
３．４１６×１０−３１Ｊｍ÷（８．１８７×１０−３Ｊ）＝４．１７２×１０−２９ｍです。
この自転軌道エネルギーで、何Ｋｇのラブの質量ができるか。
１Ｊｍの自転軌道エネルギーは２．６６７Ｋｇに変換する。
電子のラブの自転軌道エネルギーは、３．４１６×１０−３１Ｊｍですから、この自転軌道エネルギーはどれ位の質量に変換するか。
３．４１６×１０−３１Ｊｍ÷１Ｊｍ×２．６６７Ｋｇ＝９．１１×１０−３１Ｋｇ
９．１１×１０−３１Ｋｇに変換する。
よって、もし、ビッグバンの時の場のエネルギーが、地上の１０１１倍であるとすると、電子のラブのエネルギーは８．１８７×１０−３Ｊで、自転軌道は４．１７２×１０−２９ｍで、この自転軌道エネルギーは９．１１×１０−３１Ｋｇに変換する。
１１．  もし、ビッグバンの時の場のエネルギーが、地上の１０１３倍であるとすると、陽子のラブのエネルギーはいくらで、自転軌道はいくらか。何Ｋｇの質量ができたか。電子のラブのエネルギーはいくらで、自転軌道はいくらか。何Ｋｇの質量ができたか。
私は、２００５年１１月８日に提出した特願２００５−３５２６４２において、電子のラブの公転軌道を、１０４才の宇宙の場では１０−１９ｍ、１０３才の宇宙の場では１０−２０ｍとしています。それで、１０２才の宇宙の場では１０−２１ｍ、１０才の宇宙の場では１０−２２ｍ、１才の宇宙の場では１０−２３ｍとし、ビッグバンの時は１０−２３ｍとします。
もし、ビッブバンの時、電子のラブの公転軌道が１０−２３ｍであるとすると、その場のエネルギーは地上の、１０１３倍です。
・もし、ビッグバンの時の場のエネルギーが、地上の１０１３倍であるとすると、陽子のラブのエネルギーは、１．５×１０−１０Ｊ×１０１３＝１．５×１０３Ｊです。
この陽子のラブの自転軌道は、
６．２７２４×１０−２８Ｊｍ÷（１．５×１０３Ｊ）＝４．１８２×１０−３１ｍです。
この自転軌道エネルギーで、何Ｋｇのラブの質量ができるか。
１Ｊｍの自転軌道エネルギーは２．６６７Ｋｇに変換する。
陽子のラブの自転の軌道エネルギーは、６．２７２４×１０−２８Ｊｍですから、この軌道エネルギーはどれ位の質量に変換するか。
６．２７２４×１０−２８Ｊｍ÷１Ｊｍ×２．６６７Ｋｇ＝１．６７２８×１０−２７Ｋｇ
１．６７２８×１０−２７Ｋｇに変換する。
よって、もし、ビッグバンの時の場のエネルギーが、地上の１０１３倍であるとすると、陽子のラブのエネルギーは１．５×１０３Ｊで、自転軌道は４．１８２×１０−３１ｍです。この自転軌道エネルギーは１．６７２８×１０−２７Ｋｇに変換する。
・もし、ビッグバンの時の場のエネルギーが、地上の１０１３倍であるとすると、電子のラブのエネルギーは、８．１８７×１０−１４Ｊ×１０１３＝８．１８７×１０−１Ｊです。
この電子のラブの自転軌道は、
３．４１６×１０−３１Ｊｍ÷（８．１８７×１０−１Ｊ）＝４．１７２×１０−３１ｍです。
この自転軌道エネルギーで、何Ｋｇのラブの質量ができるか。
１Ｊｍの自転軌道エネルギーは２．６６７Ｋｇに変換する。
電子のラブの自転軌道エネルギーは、３．４１６×１０−３１Ｊｍですから、この自転軌道エネルギーはどれ位の質量に変換するか。
３．４１６×１０−３１Ｊｍ÷１Ｊｍ×２．６６７Ｋｇ＝９．１１×１０−３１Ｋｇ
９．１１×１０−３１Ｋｇに変換する。
よって、もし、ビッグバンの時の場のエネルギーが、地上の１０１３倍であるとすると、電子のラブのエネルギーは８．１８７×１０−１Ｊで、自転軌道は４．１７２×１０−３１ｍです。この自転軌道エネルギーは９．１１×１０−３１Ｋｇに変換する。
１２．  ビングバンの時、陽子のラブの質量となった自転軌道エネルギーを陽子のラブの光子と名づける。電子のラブの質量になった自転軌道エネルギーを電子のラブの光子と名づける。
ビッグバンの時、陽子のラブの質量となったエネルギーには質量が無かった。質量の無いエネルギーの粒子は光子です。それ故、ビッグバンの時、陽子のラブの質量となったエネルギーは光子です。この光子を陽子のラブの光子と名づける。
ビッグバンの時、電子のラブの質量となったエネルギーには質量が無かった。質量の無いエネルギーの粒子は光子です。それ故、ビッグバンの時、電子のラブの質量となったエネルギーは光子です。この光子を電子のラブの光子と名づける。
ビッグバンの以前、存在したのは、陽子のラブの光子と電子のラブの光子です。
陽子のラブの光子は自転していた。電子のラブの光子は自転していた。
陽子のラブの光子の自転軌道エネルギーが陽子のラブの質量になった。
電子のラブの光子の自転軌道エネルギーが電子のラブの質量に成った。
陽子のラブの光子の自転軌道エネルギー６．２７２４×１０−２８Ｊｍが陽子のラブの質量になった。
電子のラブの光子の自転軌道エネルギー３．４１６×１０−３１Ｊｍが電子のラブの質量になった。
１３．  陽子のラブの光子と電子のラブの光子はどのようにできたか。
石を溶かし蒸発させる電気光子の束（集合体）が陽子のラブの光子になったと考える。石を溶かし蒸発させる電気の光子の束（集合体）が電子のラブの光子になったと考える。
珪素の融点は１４１２℃で、沸点は３２６６℃です。
それで、石を溶かし沸騰させる電気の光子１個のエネルギーを電気の光子１個のエネルギーとする。
電気の光子１個のエネルギー×電気の光子１個のエネルギー＝３２６６℃
（電気の光子１個のエネルギー）２＝３２６６°Ｃ
電気の光子１個のエネルギー＝（３２６６℃）１／２＝５．３５１×１０℃
１℃＝２７４Ｋ＝２７４×１．３８０６５×１０−２３Ｊ＝３．７８３×１０−２１Ｊ
よって、電気の光子１個のエネルギー＝５．３５１×１０℃×３．７８３×１０−２１Ｊ＝２．０２４×１０−１９Ｊ
この石を溶かす電気の光子のエネルギー（２．０２４×１０−１９Ｊ）を電気の光子１個のエネルギーとする。この電気の光子が束になって（集合して）、陽子のラブの光子と電子のラブの光子ができたと考える。
それでは、例えば、ビッグバンの時、陽子のラブのエネルギーが１Ｊで、電子のラブのエネルギーが５．４４６×１０−４Ｊであったとします。
ビッグバンの以前、陽子のラブの光子のエネルギーは、２．０２４×１０−１９Ｊの電気の光子が何個集まったものか。
電気の光子が、１Ｊ÷（２．０２４×１０−１９Ｊ）＝４．９４１×１０１８個集まったものです。
ビッグバンの以前、電子のラブの光子のエネルギーは、２．０２４×１０−１９Ｊの電気の光子が何個集まったものか。
電気の光子が、５．４４６×１０−４Ｊ÷（２．０２４×１０−１９Ｊ）＝２．６９１×１０１５個集まったものです。
電気の光子の数＝ラブの光子のエネルギー÷（２．０２４×１０−１９Ｊ）です。
１４．  陽子のラブの秒速と電子のラブの秒速はどのような式で求められるか。
陽子のラブの秒速＝３．１４×陽子のラブの公転軌道×１秒間の公転数＝３．１４×８．６６５×１０−２４Ｊｍ÷陽子のラブのエネルギー×４．３４×１０４×７．９６×１０７回＝９．４×１０−１１Ｊｍ÷陽子のラブのエネルギー
電子のラブの秒速＝３．１４×電子のラブの公転軌道×１秒間の公転数＝３．１４×８．６６５×１０−２４Ｊｍ÷電子のラブのエネルギー×（７．９６×１０７回）２＝１．７２４×１０−７Ｊｍ÷電子のラブのエネルギー
陽子のラブの秒速＝３．１４×陽子のラブの公転軌道×１秒間の公転数＝３．１４×陽子のラブの公転軌道×４．３４×１０４×７．９６×１０７回＝１．０８５×１０１３×陽子のラブの公転軌道
電子のラブの秒速＝３．１４×電子のラブの公転軌道×１秒間の公転数＝３．１４×電子のラブの公転軌道×（７．９６×１０７回）２＝１．９９０×１０１６×電子のラブの公転軌道
陽子のラブの秒速＝９．４×１０−１１Ｊｍ÷陽子のラブのエネルギー＝１．０８５×１０１３×陽子のラブの公転軌道
電子のラブの秒速＝１．７２４×１０−７Ｊｍ÷電子のラブのエネルギー＝１．９９０×１０１６×電子のラブの公転軌道
１５．  電子のラブの秒速は陽子のラブの秒速の何倍か。
電子のラブの公転軌道は、陽子のラブの公転軌道の１８３６倍ですから、
電子のラブの秒速÷陽子のラブの秒速＝１．９９０×１０１６×電子のラブの公転軌道÷（１．０８５×１０１３×陽子のラブの公転軌道）＝１．９９０×１０１６×陽子のラブの公転軌道×１８３６÷（１．０８５×１０１３×陽子のラブの公転軌道）＝３．３６８×１０６＝（１．８３５×１０３）２
電子のラブの秒速は常に陽子のラブの秒速の３．３６８×１０６倍です。これは、質量比の２乗分の１です。引力比分の１です。
これらの事を表にして示す。
ビッグバンのときの場の様子。
2007236187.tif 000005
2007236187.tif 000006
ビッグバンの以前の様子。
2007236187.tif 000007
１６．  陽子のラブと電子のラブは高エネルギー加速器の鉄板を通過する。
陽子のラブの大きさは、陽子のラブの自転であり、４．１８×１０−１８ｍです。電子のラブの大きさは、電子のラブの自転であり、４．１７５×１０−１８ｍです。それで、陽子のラブと電子のラブは高エネルギー加速器を通過後鉄板に当たっても、通過してしまい、爆発はしない。それで、陽子のラブと電子のラブのエネルギーは測定不可能である。
１７．  Ｅ＝ｍｃ２で測定される陽子のエネルギーは、陽子のラブによって引き付けられている光子のエネルギーである。Ｅ＝ｍｃ２で測定される電子のエネルギーは、電子のラブによって引き付けられている光子のエネルギーである。
陽子のラブの場合。
陽子のラブが作る１束のエネルギーは、５．０５×１０−２７Ｊですから、何束の光子が引き付けられているか。
１．５×１０−１０Ｊ÷（５．０５×１０−２７Ｊ）＝２．９７×１０１６束の磁気の光子と電気の光子です。
陽子のラブは、磁気の光子と電気の光子をそれぞれ、（２．９７×１０１６束）１／２＝１．７２３×１０８束ずつ引き付けている。
それで、高エネルギー加速器を通過後、鉄板に当たって、陽子のラブは通過してしまうけれど、陽子のラブの周囲に引き付けられている電気の光子と磁気の光子は測定される。その電気の光子と磁気の光子はそれぞれ１．７２３×１０８束です。エネルギーは５．０５×１０−２７Ｊ×２．９７×１０１６束＝１．５×１０−１０Ｊ＝１．６７２６５×１０−２７Ｋｇ×９×１０１６＝ｍｃ２です。
電子のラブの場合。
電子のラブが作る１束のエネルギーは、９．２７４×１０−２４Ｊですから、何束の光子が引き付けられているか。
８．１８７×１０−１４Ｊ÷（９．２７４×１０−２４Ｊ）＝８．８２８×１０９束の磁気の光子と電気の光子です。
電子のラブは、磁気の光子と電気の光子をそれぞれ、（８．８２８×１０９束）１／２＝９．３９６×１０４束ずつ引き付けている。
それで、高エネルギー加速器を通過後、鉄板に当たって、電子のラブは通過してしまうけれど、電気の光子と磁気の光子は測定される。その電気の光子と磁気の光子はそれぞれ９．３９６×１０４束です。エネルギーは９．２７４×１０−２４Ｊ×８．８２８×１０９束＝８．１８７×１０−１４Ｊ＝９．１０９５×１０−３１Ｋｇ×９×１０１６＝ｍｃ２です。
１８．  どうして、陽子のラブは、１．７２３×１０８束の光子を引き付けておく事ができ、電子のラブは９．３９６×１０４束の光子を引き付けておく事ができるのか。
陽子のラブが作る磁気の光子１個のエネルギーは２．６８１×１０−３６Ｊです。電子のラブが作る磁気の光子１個のエネルギーは１．４６４×１０−３９Ｊです。
陽子のラブが作る磁気の光子１個のエネルギー：電子のラブが作る磁気の光子１個のエネルギー＝２．６８１×１０−３６Ｊ：１．４６４×１０−３９Ｊ＝１．８３１×１０３：１
陽子のラブが引き付けている光子の束：電子のラブが引き付けている光子の束＝１．７２３×１０８束：９．３９６×１０４束＝１．８３４×１０３：１
磁気の光子のエネルギーが光子を引き付けている。
それで、陽子のラブは、１．７２３×１０８束を引き付け、電子のラブは、９．３９６×１０４束を引き付けておくことができる。
この事によって、Ｅ＝ｍｃ２で示されるエネルギーは、ラブが作る磁気の光子のエネルギーにより引き付けられている電気の光子と磁気の光子のエネルギーである事が証明される。
１９．  Ｅ＝ｍｃ２は何を意味するか。
Ｅはラブの周囲に引き付けられている電気の光子と磁気の光子のエネルギーです。ｍはラブの質量です。ｃ２はラブ１Ｋｇにより引き止められている電気の光子と磁気の光子のエネルギーを求める係数です。
ラブ１Ｋｇにより引き止められている電気の光子と磁気の光子のエネルギーの係数はｃ２であり、エネルギーはｃ２Ｊです。
ラブの引力の係数は、９×１０１６Ｊ／Ｋｇ２です。
２０．  どうしてラブの引力の係数は９×１０１６Ｊ／Ｋｇ２なのか。
１Ｋｇの陽子のラブが１秒間に作る磁気の光子のエネルギーは、
１Ｋｇの陽子のラブの数×陽子のラブが作る１個の磁気の光子のエネルギー×１秒間にできる磁気の光子の数＝１Ｋｇ÷（１．６７２６５×１０−２７Ｋｇ）×２．６８１×１０−３６Ｊ×７．９６×１０７×（４．３４×１０４）２＝２．４０３×１０８Ｊ
１Ｋｇの陽子のラブが１秒間に作る磁気の光子のエネルギーは２．４０３×１０８Ｊであり、引力はこの２乗ですから、（２．４０３×１０８Ｊ）２＝５．７７４×１０１６Ｊです。
陽子のラブ１Ｋｇと陽子のラブ１Ｋｇでできる引力は９×１０１６Ｊ／Ｋｇ２です。
この事によって、陽子のラブの引力の係数は９×１０１６Ｊ／Ｋｇ２であると理解できる。
２１．  陽子のラブの引力係数が９×１０１６Ｊ／Ｋｇ２である事の証明。
陽子のラブ１Ｋｇと陽子のラブ１Ｋｇでできる引力は９×１０１６Ｊ／Ｋｇ２ですから、陽子のラブ１Ｋｇでは、（９×１０１６Ｊ／Ｋｇ２）１／２＝３×１０８Ｊ／Ｋｇです。
１Ｋｇの陽子の数は５．９７８×１０２６個ですから、１個の陽子のラブでできる引力（磁気の光子のエネルギー）は、３×１０８Ｊ／Ｋｇ÷（５．９７８×１０２６個）／Ｋｇ＝５．０１８×１０−１９Ｊです。
それでは、陽子のラブが１秒間に作る磁気の光子のエネルギーはいくらか。
陽子のラブが１秒間に作る磁気の光子のエネルギーは、
１個の磁気の光子のエネルギー×１秒間にできる磁気の光子の数＝２．６８１×１０−３６Ｊ×１．５×１０１７個＝４．０２２×１０−１９Ｊです。
１個の陽子のラブでできる引力（磁気の光子のエネルギー）は、陽子のラブが１秒間に作る磁気の光子のエネルギーです。
この事によって、陽子のラブが１秒間に作る磁気の光子のエネルギーが引力に成っていることが証明できた。
２２．  Ｅ＝ｍｃ２は陽子のラブが１秒間に作る電気の光子のエネルギー×磁気の光子のエネルギーであり、この光子のエネルギーを陽子のラブは自分の周囲に引き付けている。
Ｅ＝ｍｃ２のｍは質量です。物質の質量のほとんどは陽子のラブの質量です。
ｍ＝陽子のラブの質量
ｍ＝１の場合、即ち、陽子のラブの質量が１Ｋｇのエネルギーはｃ２Ｊ＝９×１０１６Ｊです。
これは、１Ｋｇの陽子のラブが１秒間に作る光子のエネルギーはｃ２Ｊ＝９×１０１６Ｊあることを示す。この光子を陽子のラブは自分の周囲に引き付けていることを示す。
即ち、陽子のラブは１秒間に作った磁気の光子と電気の光子を自分の周囲に引き付けている。
・１Ｋｇの陽子のラブが１秒間に作る電気の光子のエネルギーはいくらか。
１Ｋｇの陽子のラブの数は、１Ｋｇ÷（１．６７２６５×１０−２７Ｋｇ）＝５．９７８×１０２６個です。
１個の陽子のラブは、１秒間に、４．３４×１０４公転×７．９６×１０７束＝３．４５５×１０１２公転し、３．４５５×１０１２個の電気の光子を作る。
陽子のラブが作る１個の電気の光子のエネルギーは、１．１６４×１０−３１Ｊです。
１Ｋｇの陽子のラブが１秒間に作る電気の光子のエネルギーは、
１Ｋｇの陽子のラブの数×１個の陽子のラブが１秒間に作る電気の光子の数×１個の電気の光子のエネルギー＝５．９７８×１０２６個×３．４５５×１０１２個×１．１６４×１０−３１Ｊ＝２．４×１０８Ｊ
２．４×１０８Ｊです。
・１Ｋｇの陽子のラブが１秒間に作る磁気の光子のエネルギーはいくらか。
１個の陽子のラブは、１秒間で４．３４×１０４自転×４．３４×１０４公転×７．９６×１０７束＝１．５×１０１７自転し、１．５×１０１７個の磁気の光子を作る。
１個の磁気の光子のエネルギーは、２．６８１×１０−３６Ｊです。
１Ｋｇの陽子のラブが１秒間に作る磁気の光子のエネルギーは、
１Ｋｇの陽子のラブの数×１個の陽子のラブが１秒間に作る磁気の光子の数×１個の磁気の光子のエネルギー＝５．９７８×１０２６個×１．５×１０１７個×２．６８１×１０−３６Ｊ＝２．４×１０８Ｊ
２．４×１０８Ｊです。
・１Ｋｇの陽子のラブが１秒間に作る光子のエネルギーはいくらか。
１Ｋｇの陽子のラブが１秒間に作る光子のエネルギーは、電気の光子のエネルギーは２．４×１０８Ｊであり、磁気の光子のエネルギーは２．４×１０８Ｊです。
それで、１Ｋｇの陽子のラブが１秒間に作る光子のエネルギーは、
電気の光子のエネルギー×磁気の光子のエネルギー＝２．４×１０８Ｊ×２．４×１０８Ｊ＝５．７８×１０１６Ｊです。
５．７８×１０１６Ｊはおよそ光速の２乗の値です。
よって、１Ｋｇの陽子のラブが１秒間に作る光子のエネルギーは５．７８×１０１６Ｊであることから、Ｅ＝ｍｃ２は、１Ｋｇの陽子のラブは１秒間に、およそｃ２Ｊ＝９×１０１６Ｊの光子を作り、陽子のラブはこの光子を自分の周囲に引き付けている。
Ｅ＝ｍｃ２は、１Ｋｇの物質は１秒間に、およそｃ２Ｊ＝９×１０１６Ｊの光子を作り、１つ１つの陽子のラブはこの１秒間に作った電気の光子と磁気の光子を自分の周囲に引き付けている事を示す。
【発明の効果】
【０００６】１．質量密度＝ラブの質量÷自転軌道を考える事によって、エネルギーは質量密度に比例することが理解できた。
２．ラブのエネルギー＝３．７５×１０−１Ｊｍ／Ｋｇ×ラブの質量÷自転軌道の式により、陽子のラブの自転軌道エネルギーは６．２７２４×１０−２８Ｊｍです。
電子の自転軌道エネルギーは３．４１６×１０−３１Ｊｍです。
３．ラブのエネルギー＝３．７５×１０−１Ｊｍ／Ｋｇ×ラブの質量÷自転軌道の式により、
１Ｋｇの陽子のラブの自転軌道エネルギーは３．７５×１０−１Ｊｍです。
１Ｋｇの電子のラブの自転軌道エネルギーは３．７５×１０−１Ｊｍです。
１Ｋｇの陽子のラブの公転の軌道エネルギーは、５．１８３×１０３Ｊｍである。
１Ｋｇの電子のラブの公転軌道エネルギーは、９．５０６×１０６Ｊｍである。
４．ラブのエネルギー＝３．７５×１０−１Ｊｍ／Ｋｇ×質量密度です。
５．１／Ｋ＝１÷（３．７５×１０−１Ｊｍ／Ｋｇ）＝２．６６７Ｋｇ／Ｊｍ
２．６６７Ｋｇ／Ｊｍが意味することは、自転軌道エネルギー１Ｊｍは２．６６７Ｋｇに変換するということです。
６．質量は普遍である。質量普遍の法則。陽子のラブの質量は１．６７２６５×１０−２７Ｋｇで普遍です。電子のラブの質量は９．１０９３８×１０−３１Ｋｇで普遍です。
７．ビッグバンの以前のエネルギーが存在しなかったら、陽子のラブの質量は誕生できなかった。電子のラブの質量は誕生できなかった。
８．ビッグバンの時できた陽子のラブの自転軌道と電子のラブの自転軌道は等しいことが理解できる。
９．陽子のラブの自転の軌道エネルギーは、６．２７２４×１０−２８Ｊｍですから、この自転軌道エネルギーは、６．２７２４×１０−２８Ｊｍ÷１Ｊｍ×２．６６７Ｋｇ＝１．６７２８×１０−２７Ｋｇに変換する。
１０．電子のラブの自転軌道エネルギーは、３．４１６×１０−３１Ｊｍですから、この自転軌道エネルギーは、３．４１６×１０−３１Ｊｍ÷１Ｊｍ×２．６６７Ｋｇ＝９．１１×１０−３１Ｋｇに変換する。
１１．ビッグバンの時、陽子のラブの質量となった自転軌道エネルギーを陽子のラブの光子と名づける。電子のラブの質量になった自転軌道エネルギーを電子のラブの光子と名づける。ビックバンの時、陽子のラブの質量となったエネルギーには質量が無かった。質量の無いエネルギーの粒子は光子です。
１２．陽子のラブの光子と電子のラブの光子はどのようにできたか。石を溶かし蒸発させる電気の光子の束（集合体）が陽子のラブの光子になったと考える。石を溶かし蒸発させる電気の光子の束（集合体）が電子のラブの光子になったと考える。
１３．陽子のラブの秒速＝９．４×１０−１１Ｊｍ÷陽子のラブのエネルギー＝１．０８５×１０１３×陽子のラブの公転軌道
電子のラブの秒速＝１．７２４×１０−７Ｊｍ÷電子のラブのエネルギー＝１．９９０×１０１９×電子のラブの公転軌道
１４．電子のラブの秒速は常に陽子のラブの秒速の３．３６８×１０６倍です。これは、質量比の２乗分の１です。引力比分の１です。
１５．陽子のラブと電子のラブは高エネルギー加速器の鉄板を通過する。
１６．Ｅ＝ｍｃ２で測定される陽子のエネルギーは、陽子のラブによって引き付けられている光子のエネルギーである。Ｅ＝ｍｃ２で測定される電子のエネルギーは、電子のラブによって引き付けられている光子のエネルギーである。
１７．陽子のラブが作る磁気の光子１個のエネルギー：電子のラブが作る磁気の光子１個のエネルギー＝２．６８１×１０−３６Ｊ：１．４６４×１０−３９Ｊ＝１．８３１×１０３：１
陽子のラブが引き付けている光子の束：電子のラブが引き付けている光子の束＝１．７２３×１０８束：９．３９６×１０４束＝１．８３４×１０３：１
この事によって、Ｅ＝ｍｃ２で示されるエネルギーは、ラブが作る磁気の光子のエネルギーにより引き付けられている電気の光子と磁気の光子のエネルギーである事が証明される。
１８．ラブの引力の係数は、９×１０１６Ｊ／Ｋｇ２です。
１９．１Ｋｇの陽子のラブが１秒間に作る磁気の光子のエネルギーは２．４０３×１０８Ｊであり、引力はこの２乗ですから、（２．４０３×１０８Ｊ）２＝５．７７４×１０１６Ｊです。
２０．１Ｋｇの陽子の数は５．９７８×１０２６個ですから、１個の陽子のラブでできる引力（磁気の光子のエネルギー）は、３×１０８Ｊ／Ｋｇ÷（５．９７８×１０２６個）／Ｋｇ＝５．０１８×１０−１９Ｊです。
陽子のラブが１秒間に作る磁気の光子のエネルギーは、
１個の磁気の光子のエネルギー×１秒間にできる磁気の光子の数＝２．６８１×１０−３６Ｊ×１．５×１０１７個＝４．０２２×１０−１９Ｊです。
このエネルギーの値は、５．０１８×１０−１９Ｊとほぼ同じです。
この事によって、ラブの引力の係数は、９×１０１６Ｊ／Ｋｇ２であることが証明できる。
２１．Ｅ＝ｍｃ２は、１Ｋｇの物質は１秒間に、およそｃ２Ｊ＝９×１０１６Ｊの光子を作り、１つ１つの陽子のラブはこの１秒間に作った電気の光子と磁気の光子を自分の周囲に引き付けている事を示す。
【図面の簡単な説明】
【０００６】
【図１】エネルギー＝Ｋ×質量密度とすると、原子の電子のラブの場合。自転軌道は４．１７５×１０−１８ｍです  Ｋ＝エネルギー÷質量密度＝８．１８７×１０−１４Ｊ÷（２．１８２×１０−１３Ｋｇ／ｍ）＝３．７５２×１０−１Ｊｍ／Ｋｇ  中性子の電子のラブの場合。自転軌道は５．０５×１０−２３ｍです。Ｋ＝エネルギー÷質量密度＝６．７９１×１０−９Ｊ÷（１．８０４×１０−８Ｋｇ／ｍ）＝３．７６４×１０−１Ｊｍ／Ｋｇ  原子の陽子のラブの場合。自転軌道は４．１８×１０−１８ｍです。Ｋ＝エネルギー÷質量密度＝１．５０３３×１０−１０Ｊ÷（４×１０−１０Ｋｇ／ｍ）＝３．７５８×１０−１Ｊｍ／Ｋｇ  中性子の陽子のラブの場合。自転軌道は９．２３２×１０−２０ｍです。Ｋ＝エネルギー÷質量密度＝６．７９１×１０−９Ｊ÷（１．８１２×１０−８Ｋｇ／ｍ）＝３．７４８×１０−１Ｊｍ／Ｋｇ  よって、Ｋ＝３．７５×１０−１Ｊｍ／Ｋｇです
【図２】１Ｋｇの陽子のラブは、自転するとき３．７５×１０−１Ｊｍの仕事をする。１Ｋｇの陽子のラブの自転軌道エネルギーは３．７５×１０−１Ｊｍです。１Ｋｇの電子のラブは、自転するとき３．７５×１０−１Ｊｍの仕事をする。１Ｋｇの電子のラブの自転軌道エネルギーは３．７５×１０−１Ｊｍです。陽子のラブの自転軌道エネルギーは、３．７５×１０−１Ｊｍ／Ｋｇ×１．６７２６５×１０−２７Ｋｇ＝６．２７２４×１０−２８Ｊｍです。電子のラブの自転の軌道エネルギーは、３．７５×１０−１Ｊｍ／Ｋｇ×９．１０９５×１０−３１Ｋｇ＝３．４１６×１０−３１Ｊｍです。
【図３】１Ｋｇの陽子のラブの公転の仕事は５．１８３×１０３Ｊｍである。１Ｋｇの陽子のラブの公転の軌道エネルギーは、５．１８３×１０３Ｊｍである。１個の陽子のラブの公転軌道エネルギーは、５．１８３×１０３Ｊｍ／Ｋｇ×１．６７２６５×１０−２７Ｋｇ＝８．６６９×１０−２４Ｊｍです。
【図４】１Ｋｇの電子のラブの公転の仕事は９．５０６×１０６Ｊｍである。１Ｋｇの電子のラブの公転軌道エネルギーは、９．５０６×１０６Ｊｍである。１個の電子のラブの公転の軌道エネルギーは、９．５０６×１０６Ｊｍ／Ｋｇ×９．１０９３８×１０−３１Ｋｇ＝８．６５９×１０−２４Ｊｍです。
【図５】２．６６７Ｋｇ／Ｊｍが意味することは、自転軌道エネルギー１Ｊｍは２．６６７Ｋｇに変換するということです。ビッグバンの以前１Ｊｍの自転軌道エネルギーの光子が、ビッグバンの時２．６６７Ｋｇの質量になった。
【図６】ビッグバンの以前、陽子のラブの光子の自転軌道エネルギー６．２７２４×１０−２８Ｊｍが、ビッグバンの時、陽子のラブの質量１．６７２８×１０−２７Ｋｇになった。ビッグバンの以前、電子のラブの光子の自転軌道エネルギー３．４１６×１０−３１Ｊｍが、ビッグバンの時、電子のラブの質量９．１１×１０−３１Ｋｇになった。
【図７】例えば、ビッグバンの時、陽子のラブのエネルギーが１Ｊで、電子のラブのエネルギーが５．４４６×１０−４Ｊであったとします。ビッグバンの以前、陽子のラブの光子のエネルギーは、石を蒸発させる電気の光子が、１Ｊ÷（２．０２４×１０−１９Ｊ）＝４．９４１×１０１８個集まったものです。ビッグバンの以前、電子のラブの光子のエネルギーは、石を蒸発させる電気の光子が、５．４４６×１０−４Ｊ÷（２．０２４×１０−１９Ｊ）＝２．６９１×１０１５個集まったものです。
【図８】陽子のラブの大きさは、陽子のラブの自転であり、４．１８×１０−１８ｍです。電子のラブの大きさは、電子のラブの自転であり、４．１７５×１０−１８ｍです。それで、陽子のラブと電子のラブは高エネルギー加速器を通過後鉄板に当たっても、通過してしまい、爆発はしない。Ｅ＝ｍｃ２で測定される陽子のエネルギーは、陽子のラブによって引き付けられている電気の光子と磁気の光子のエネルギーである。Ｅ＝ｍｃ２で測定される電子のエネルギーは、電子のラブによって引き付けられている電気の光子と磁気の光子のエネルギーである。
【図９】１Ｋｇの陽子のラブが１秒間に作る磁気の光子のエネルギーは、１Ｋｇの陽子のラブの数×陽子のラブが作る１個の磁気の光子のエネルギー×１秒間にできる磁気の光子の数＝１Ｋｇ÷（１．６７２６５×１０−２７Ｋｇ）×２．６８１×１０−３６Ｊ×７．９６×１０７×（４．３４×１０４）２＝２．４０３×１０８Ｊ、２．４０３×１０８Ｊであり、引力はこの２乗ですから、（２．４０３×１０８Ｊ）２＝５．７７４×１０１６Ｊです。１個の陽子のラブが１秒間に作る磁気の光子のエネルギーは、陽子のラブが作る１個の磁気の光子のエネルギー×１秒間にできる磁気の光子の数＝２．６８１×１０−３６Ｊ×７．９６×１０７×（４．３４×１０４）２＝４．０２×１０−１９Ｊです。
【図１０】陽子のラブの引力係数が９×１０１６Ｊ／Ｋｇ２である事の証明。陽子のラブ１Ｋｇと陽子のラブ１Ｋｇでできる引力は９×１０１６Ｊ／Ｋｇ２ですから、陽子のラブ１Ｋｇでは、（９×１０１６Ｊ／Ｋｇ２）１／２＝３×１０８Ｊ／Ｋｇです。１Ｋｇの陽子のラブの数は５．９７８×１０２６個ですから、１個の陽子のラブでできる引力（磁気の光子のエネルギー）は、３×１０８Ｊ／Ｋｇ÷（５．９７８×１０２６個）／Ｋｇ＝５．０１８×１０−１９Ｊです。この値は、４．０２×１０−１９Ｊとほぼ同じです。
【符号の説明】
１  電子のラブ
２  陽子のラブ
３  中性子の電子のラブ
４  中性子の陽子のラブ
５  ラブ１Ｋｇは自転するとき３．７５×１０−１Ｊｍの仕事をし、自転軌道エネルギーは３．７５×１０−１Ｊｍです。
６  陽子のラブ１個の自転軌道エネルギーは６．２７２４×１０−２８Ｊｍです。
７  電子のラブ１個の自転軌道エネルギーは３．４１６×１０−３１Ｊｍです。
８  １Ｋｇの陽子のラブは公転するとき５．１８３×１０３Ｊｍの仕事をし、自転軌道エネルギーは５．１８３×１０３Ｊｍです。
９  １Ｋｇの電子のラブは公転するとき９．５０６×１０６Ｊｍの仕事をし、自転軌道エネルギーは９．５０６×１０６Ｊｍです。
１０  ビッグバンの以前１Ｊｍの自転軌道エネルギーの光子が、ビッグバンの時２．６６７Ｋｇの質量になった。
１１  ビッグバンの以前、自転軌道エネルギーが６．２７２４×１０−２８Ｊｍの陽子のラブの光子。
１２  ビッグバンの以前、自転軌道エネルギーが３．４１６×１０−３１Ｊｍの電子のラブの光子。
１３  ビッグバンの時できた質量が１．６７２８×１０−２７Ｋｇの陽子のラブ。
１４  ビッグバンの時できた質量が９．１１×１０−３１Ｋｇの電子のラブ。
１５  ビッグバンの以前、石を蒸発させる電気の光子が４．９４１×１０１８個集まった１Ｊの陽子のラブの光子。
１６  ビッグバンの以前、石を蒸発させる電気の光子が２．６９１×１０１５個集まった５．４４６×１０−４Ｊの電子のラブの光子。
１７  加速器の鉄板。
１８  陽子のラブに引き付けられている電気の光子と磁気の光子。
１９  電子のラブに引き付けられている電気の光子と磁気の光子。
２０  １個の陽子のラブが作る磁気の光子のエネルギーは４．０２２×１０−１９Ｊで、陽子のラブ１Ｋｇが１秒間に作る磁気の光子のエネルギーは２．４０３×１０８Ｊなので、引力は５．７７４×１０１６Ｊ／Ｋｇ２です。
２１  １個の陽子のラブが作る磁気の光子のエネルギーは５．０１８×１０−１９Ｊで、陽子のラブ１Ｋｇが１秒間に作る磁気の光子のエネルギーは３×１０８Ｊなので、引力は９×１０１６Ｊ／Ｋｇ２です。
【図１】
2007236187.tif 000012
【図２】
2007236187.tif 000013
【図３】
2007236187.tif 000014
【図４】
2007236187.tif 000015
【図５】
2007236187.tif 000016
【図６】
2007236187.tif 000017
【図７】
2007236187.tif 000018
【図８】
2007236187.tif 000019
【図９】
2007236187.tif 000020
【図１０】
2007236187.tif 000021